(57)【特許請求の範囲】
【請求項１】
カメラ・モジュールからキャプチャ画像を示す情報を受信するステップと、
前記キャプチャ画像の受信の時点における環境キャプチャ文脈情報、または、前記キャプチャ画像の受信の時点における活動キャプチャ文脈情報を示す少なくとも１つのカテゴリカル・キャプチャ文脈情報を含むキャプチャ文脈情報を決定するステップと、
画像共有のために、前記キャプチャ画像の表現を受信するべき受信者を識別するステップと、
前記受信者に送信するのに適切な受信者画像を生成するために、環境受信者文脈情報または活動受信者文脈情報を示す少なくとも１つのカテゴリカル受信者文脈情報を含む受信者文脈情報を決定するステップと、
前記受信者画像の生成を防止するために、前記カテゴリカル・キャプチャ文脈情報が、カテゴリカル文脈情報差閾値を超えて、前記カテゴリカル受信者文脈情報と異なっているか否かを判断するステップと、
受信者画像が、前記カテゴリカル・キャプチャ文脈情報に少なくとも部分的に基づいたカテゴリカル文脈情報差インジケータを含むように、前記キャプチャ画像に少なくとも部分的に基づいて、前記受信者画像を生成するステップであって、該カテゴリカル文脈情報差インジケータは、情報差を示すために受信者画像に含まれる視覚情報である、ステップと、
前記受信者へ前記受信者画像の送信をさせるステップと、を含む方法。
【請求項２】
ディスプレイの上に前記受信者画像の表示をさせるステップを更に含む請求項１に記載の方法。
【請求項３】
カテゴリカル文脈情報差インジケータ調節入力を示す情報を受信するステップを更に含み、
前記受信者画像は、前記カテゴリカル文脈情報差インジケータ調節入力に、少なくとも部分的に基づいている、請求項２に記載の方法。
【請求項４】
前記受信者へ聴覚情報の送信をさせるステップを更に含み、
前記聴覚情報は、前記カテゴリカル・キャプチャ文脈情報と関連付けられている、請求項１ないし３のいずれか１項に記載の方法。
【請求項５】
前記カテゴリカル文脈情報差閾値は、カテゴリと関連付けられており、
前記カテゴリカル・キャプチャ文脈情報は、前記カテゴリと関連付けられており、
前記カテゴリカル受信者文脈情報は、前記カテゴリと関連付けられている、
請求項１ないし４のいずれか１項に記載の方法。
【請求項６】
前記キャプチャ文脈情報は、別のカテゴリと関連付けられた別のカテゴリカル・キャプチャ文脈情報を含み、
前記受信者文脈情報は、前記別のカテゴリと関連付けられた別のカテゴリカル受信者文脈情報を含み、
前記別のカテゴリカル・キャプチャ文脈情報が、前記別のカテゴリと関連付けられた別のカテゴリカル文脈情報差閾値を超えて、前記別のカテゴリカル受信者文脈情報と異なることに失敗していると判断するステップ
を更に含み、
前記受信者画像の前記生成は、前記受信者画像が、前記別のカテゴリカル・キャプチャ文脈情報に少なくとも部分的に基づいた別のカテゴリカル文脈情報差インジケータを備えることに失敗するように、実行される、
請求項５に記載の方法。
【請求項７】
前記キャプチャ画像の別の表現を受信するべき別の受信者を識別するステップと、
前記別のカテゴリカル受信者文脈情報が、前記カテゴリと関連付けられ、
前記異なるカテゴリカル受信者文脈情報が、異なるカテゴリと関連付けられるように、    別の環境受信者文脈情報または別の活動受信者文脈情報を示す別のカテゴリカル受信者文脈情報、および、
異なる環境受信者文脈情報または異なる活動受信者文脈情報を示す異なるカテゴリカル受信者文脈情報を含む別の受信者文脈情報を決定するステップと、
前記別の受信者へ前記受信者画像の送信をさせるステップと、
を更に含む請求項５または６に記載の方法。
【請求項８】
前記受信者画像の前記生成は、前記異なるカテゴリカル受信者文脈情報に少なくとも部分的に基づいた異なるカテゴリカル文脈情報差インジケータを省略している、請求項７に記載の方法。
【請求項９】
前記異なるカテゴリカル文脈情報差インジケータの前記省略は、前記カテゴリとは異なっている前記異なるカテゴリに少なくとも部分的に基づいている、請求項８に記載の方法。
【請求項１０】
前記キャプチャ画像の別の表現を受信するべき別の受信者を識別するステップと、
別の環境受信者文脈情報または別の活動受信者文脈情報を示す別のカテゴリカル受信者文脈情報を含む別の受信者文脈情報を決定するステップと、
前記カテゴリカル・キャプチャ文脈情報が、別のカテゴリカル文脈情報差閾値を超えて、前記別のカテゴリカル受信者文脈情報と異なることに失敗していると判断するステップと、
を更に含む請求項１ないし９のいずれか１項に記載の方法。
【請求項１１】
前記カテゴリカル・キャプチャ文脈情報が、前記別のカテゴリカル文脈情報差閾値を超えて、前記別のカテゴリカル受信者文脈情報と異なることに失敗しているという判断に少なくとも部分的に基づいて別の受信者画像の生成を防止するステップを更に含む請求項１０に記載の方法。
【請求項１２】
前記キャプチャ画像を識別するキャプチャ画像ビュー入力を示す情報を受信するステップと、
別の環境受信者文脈情報または別の活動受信者文脈情報を示す別のカテゴリカル受信者文脈情報を含む別の受信者文脈情報を決定するステップと、
前記カテゴリカル・キャプチャ文脈情報が、別のカテゴリカル文脈情報差閾値を超えて、前記別のカテゴリカル受信者文脈情報と異なっていると判断するステップと、
前記受信者画像が、前記カテゴリカル・キャプチャ文脈情報に少なくとも部分的に基づいた別のカテゴリカル文脈情報差インジケータを含むように、前記キャプチャ画像に少なくとも部分的に基づいて別の受信者画像を生成するステップと、
前記受信者画像の表示を起動するステップと、
を更に含む請求項１ないし１１のいずれか１項に記載の方法。
【請求項１３】
請求項１ないし１２のいずれか１項に記載の方法を実行するための手段を備える装置。
【請求項１４】
前記方法を実行するための前記手段は、少なくとも１つのプロセッサと、少なくとも１つのメモリと、を備え、
該メモリは、実行されるとき、請求項１ないし１２のいずれか１項に記載の方法を前記装置に実行させる機械可読命令を備える、請求項１３に記載の装置。
【請求項１５】
少なくとも１つのプロセッサを用いて実行されるとき、請求項１ないし１２のいずれか１項に記載の方法を実行する命令を備えるコンピュータ・プログラム。
【発明の詳細な説明】
【技術分野】
【０００１】
本出願は、一般に、受信者画像の生成に関する。
【背景技術】
【０００２】
電子装置は、そのユーザの生活の主要な部分となっている。多くのユーザは、自身の生活の様々な態様を支援するように、自身の電子装置に依存している。例えば、ユーザは、画像をキャプチャするように、キャプチャされた画像を共有するように、および／または、これらに類似したことを実行するように、電子装置を利用することができる。多くの状況において、ユーザは、キャプチャされた画像内において描画されえる、キャプチャされた画像と関連しえる、および／または、これらと類似した、１つ以上の環境特性や文脈特性などの改善を望む場合がある。例えば、ユーザが、興味深く、刺激的な方式で、画像をキャプチャし、キャプチャされた画像を共有し、および／または、閲覧するための簡単で直観的な方式を提供するように構成された電子装置を提供することが望ましい。
【発明の概要】
【０００３】
本願発明の例の様々な態様については、添付の請求項において記述されている。
【０００４】
１つ以上の実施形態は、カメラ・モジュールからのキャプチャ画像を示す情報の受信、キャプチャ画像の受信の時点における環境キャプチャ文脈情報またはキャプチャ画像の受信の時点における活動キャプチャ文脈情報を示す少なくとも１つのカテゴリカル・キャプチャ文脈情報を有するキャプチャ文脈情報の決定、キャプチャ画像の表現を受信するべき受信者の識別、環境受信者文脈情報または活動受信者文脈情報を示す少なくとも１つのカテゴリカル受信者文脈情報を有する受信者文脈情報の決定、カテゴリカル・キャプチャ文脈情報が、カテゴリカル文脈情報差閾値を超えて、カテゴリカル受信者文脈情報と異なっているという判断、受信者画像が、カテゴリカル・キャプチャ文脈情報に少なくとも部分的に基づいたカテゴリカル文脈情報差インジケータを有するように、キャプチャ画像に少なくとも部分的に基づいた受信者画像の生成、並びに、受信者に対する受信者画像の送信の起動のための装置、コンピュータ可読媒体、一時的ではないコンピュータ可読媒体、コンピュータ・プログラムプロダクト、および方法を提供することができる。
【０００５】
１つ以上の実施形態は、カメラ・モジュールからキャプチャ画像を示す情報を受信するための手段、キャプチャ画像の受信の時点における環境キャプチャ文脈情報またはキャプチャ画像の受信の時点における活動キャプチャ文脈情報を示す少なくとも１つのカテゴリカル・キャプチャ文脈情報を有するキャプチャ文脈情報の決定のための手段、キャプチャ画像の表現を受信するべき受信者の識別のための手段、環境受信者文脈情報または活動受信者文脈情報を示す少なくとも１つのカテゴリカル受信者文脈情報を有する受信者文脈情報の決定のための手段、カテゴリカル・キャプチャ文脈情報が、カテゴリカル文脈情報差閾値を超えて、カテゴリカル受信者文脈情報と異なっているという判断のための手段、受信者画像が、カテゴリカル・キャプチャ文脈情報に少なくとも部分的に基づいたカテゴリカル文脈情報差インジケータを有するように、キャプチャ画像に少なくとも部分的に基づいた受信者画像の生成のための手段、並びに、受信者への受信者画像の送信の起動のための手段を有する装置、コンピュータ可読媒体、コンピュータ・プログラムプロダクト、および一時的ではないコンピュータ可読媒体を提供することができる。
【０００６】
１つ以上の実施形態は、装置を提供してよく、装置は、少なくとも１つのプロセッサと、少なくとも１つのメモリと、を有し、メモリは、実行された際に、カメラ・モジュールからのキャプチャ画像を示す情報の受信、キャプチャ画像の受信の時点における環境キャプチャ文脈情報またはキャプチャ画像の受信の時点における活動キャプチャ文脈情報を示す少なくとも１つのカテゴリカル・キャプチャ文脈情報を有するキャプチャ文脈情報の決定、キャプチャ画像の表現を受信するべき受信者の識別、環境受信者文脈情報または活動受信者文脈情報を示す少なくとも１つのカテゴリカル受信者文脈情報を有する受信者文脈情報の決定、カテゴリカル・キャプチャ文脈情報が、カテゴリカル文脈情報差閾値を超えて、カテゴリカル受信者文脈情報と異なっているという判断、受信者画像が、カテゴリカル・キャプチャ文脈情報に少なくとも部分的に基づいたカテゴリカル文脈情報差インジケータを有するように、キャプチャ画像に少なくとも部分的に基づいた受信者画像の生成、並びに、受信者への受信者画像の送信の起動を装置に実行させる機械可読命令を有する。
【０００７】
１つ以上の実施形態は、カメラ・モジュールからのキャプチャ画像を示す情報の受信、キャプチャ画像の受信の時点における環境キャプチャ文脈情報またはキャプチャ画像の受信の時点における活動キャプチャ文脈情報を示す少なくとも１つのカテゴリカル・キャプチャ文脈情報を有するキャプチャ文脈情報の決定、キャプチャ画像を識別するキャプチャ画像表示入力を示す情報の受信、キャプチャ画像表示入力の受信の時点における環境受信者文脈情報またはキャプチャ画像表示入力の受信の時点における活動受信者文脈情報を示す少なくとも１つのカテゴリカル受信者文脈情報を有する受信者文脈情報の決定、カテゴリカル・キャプチャ文脈情報が、カテゴリカル文脈情報差閾値を超えて、カテゴリカル受信者文脈情報と異なっているという判断、受信者画像が、カテゴリカル・キャプチャ文脈情報に少なくとも部分的に基づいたカテゴリカル文脈情報差インジケータを有するように、キャプチャ画像に少なくとも部分的に基づいた受信者画像の生成、並びに、受信者画像の表示の起動のための装置、コンピュータ可読媒体、一時的ではないコンピュータ可読媒体、コンピュータ・プログラムプロダクト、および方法を提供することができる。
【０００８】
１つ以上の実施形態は、カメラ・モジュールからのキャプチャ画像を示す情報の受信のための手段、キャプチャ画像の受信の時点における環境キャプチャ文脈情報またはキャプチャ画像の受信の時点における活動キャプチャ文脈情報を示す少なくとも１つのカテゴリカル・キャプチャ文脈情報を有するキャプチャ文脈情報の決定のための手段、キャプチャ画像を識別するキャプチャ画像表示入力を示す情報の受信のための手段、キャプチャ画像表示入力の受信の時点における環境受信者文脈情報またはキャプチャ画像表示入力の受信の時点における活動受信者文脈情報を示す少なくとも１つのカテゴリカル受信者文脈情報を有する受信者文脈情報の決定のための手段、カテゴリカル・キャプチャ文脈情報が、カテゴリカル文脈情報差閾値を超えて、カテゴリカル受信者文脈情報と異なっているという判断のための手段、受信者画像が、カテゴリカル・キャプチャ文脈情報に少なくとも部分的に基づいたカテゴリカル文脈情報差インジケータを有するように、キャプチャ画像に少なくとも部分的に基づいた受信者画像の生成のための手段、並びに、受信者画像の表示の起動のための手段を有する装置、コンピュータ可読媒体、コンピュータ・プログラムプロダクト、および一時的ではないコンピュータ可読媒体を提供することができる。
【０００９】
１つ以上の実施形態は、装置を提供することができ、装置は、少なくとも１つのプロセッサと、少なくとも１つのメモリと、を有し、メモリは、実行された際に、カメラ・モジュールからのキャプチャ画像を示す情報の受信、キャプチャ画像の受信の時点における環境キャプチャ文脈情報またはキャプチャ画像の受信の時点における活動キャプチャ文脈情報を示す少なくとも１つのカテゴリカル・キャプチャ文脈情報を有するキャプチャ文脈情報の決定、キャプチャ画像を識別するキャプチャ画像表示入力を示す情報の受信、キャプチャ画像表示入力の受信の時点における環境受信者文脈情報またはキャプチャ画像表示入力の受信の時点における活動受信者文脈情報を示す少なくとも１つのカテゴリカル受信者文脈情報を有する受信者文脈情報の決定、カテゴリカル・キャプチャ文脈情報が、カテゴリカル文脈情報差閾値を超えて、カテゴリカル受信者文脈情報と異なっているという判断、受信者画像が、カテゴリカル・キャプチャ文脈情報に少なくとも部分的に基づいたカテゴリカル文脈情報差インジケータを有するように、キャプチャ画像に少なくとも部分的に基づいた受信者画像の生成、並びに、受信者画像の表示の起動を装置に実行させる機械可読命令を有する。
【００１０】
１つ以上の例示的実施形態は、ディスプレイ上における受信者画像の表示の起動を更に実行する。
【００１１】
１つ以上の例示的実施形態は、受信者画像受け入れ入力を示す情報の受信を更に実行し、受信者への受信者画像の送信の起動は、受信者画像受け入れ入力に少なくとも部分的に基づいている。
【００１２】
１つ以上の例示的実施形態は、カテゴリカル文脈情報差インジケータ調節入力を示す情報の受信を更に実行し、受信者画像は、カテゴリカル文脈情報差インジケータ調節入力に少なくとも部分的に基づいている。
【００１３】
１つ以上の例示的実施形態は、受信者画像との関係においてカテゴリカル文脈情報差インジケータ調節インターフェイスの表示の起動を更に実行し、カテゴリカル文脈情報差インジケータ調節入力は、ディスプレイ上におけるカテゴリカル文脈情報差インジケータ調節インターフェイスの表示位置と少なくとも部分的に対応したディスプレイ上の位置に存在している。
【００１４】
１つ以上の例示的実施形態は、受信者への聴覚情報の送信の起動を更に実行し、聴覚情報は、カテゴリカル・キャプチャ文脈情報と関連付けられている。
【００１５】
１つ以上の例示的実施形態は、カテゴリカル・キャプチャ文脈情報に少なくとも部分的に基づいた聴覚情報の識別を更に実行する。
【００１６】
少なくとも１つの例示的実施形態においては、カテゴリカル文脈情報差閾値は、カテゴリと関連付けられており、カテゴリカル・キャプチャ文脈情報は、カテゴリと関連付けられており、カテゴリカル受信者文脈情報は、カテゴリと関連付けられている。
【００１７】
少なくとも１つの例示的実施形態においては、キャプチャ文脈情報は、別のカテゴリと関連した別のカテゴリカル・キャプチャ文脈情報を有し、受信者文脈情報は、その他のカテゴリと関連した別のカテゴリカル受信者文脈情報を有し、この実施形態は、その他のカテゴリカル・キャプチャ文脈情報が、その他のカテゴリと関連した別のカテゴリカル文脈情報差閾値を超えて、その他のカテゴリカル受信者文脈情報と異なることに失敗しているという判断を更に実行する。このような例示的実施形態においては、受信者画像の生成は、受信者画像が、その他のカテゴリカル・キャプチャ文脈情報に少なくとも部分的に基づいた別のカテゴリカル文脈情報差インジケータを有することに失敗するように、実行されている。
【００１８】
少なくとも１つの例示的実施形態においては、その他のカテゴリは、カテゴリとは異なっている。
【００１９】
１つ以上の例示的実施形態は、キャプチャ画像の別の表現を受信するべき別の受信者の識別、その他のカテゴリカル受信者文脈情報が、カテゴリと関連付けられ、異なるカテゴリカル受信者文脈情報が、異なるカテゴリと関連付けられるように、別の環境受信者文脈情報または別の活動受信者文脈情報を示す別のカテゴリカル受信者文脈情報および異なる環境受信者文脈情報または異なる活動受信者文脈情報を示す別のカテゴリカル受信者文脈情報を有する別の受信者文脈情報の決定、並びに、その他の受信者への受信者画像の送信の起動を更に実行する。
【００２０】
少なくとも１つの例示的実施形態においては、受信者画像の生成は、異なるカテゴリカル受信者文脈情報に少なくとも部分的に基づいた異なるカテゴリカル文脈情報差インジケータを省略している。
【００２１】
少なくとも１つの例示的実施形態においては、異なるカテゴリカル文脈情報差インジケータの省略は、カテゴリとは異なっている異なるカテゴリに少なくとも部分的に基づいている。
【００２２】
１つ以上の例示的実施形態は、キャプチャ画像の別の表現を受信するべき別の受信者の識別、別の環境受信者文脈情報または別の活動受信者文脈情報を示す別のカテゴリカル受信者文脈情報を有する別の受信者文脈情報の決定、並びに、カテゴリカル・キャプチャ文脈情報が、別のカテゴリカル文脈情報差閾値を超えて、その他のカテゴリカル受信者文脈情報と異なることに失敗しているという判断を更に実行する。
【００２３】
１つ以上の例示的実施形態は、受信者へのキャプチャ画像の送信の起動を更に実行する。
【００２４】
１つ以上の例示的実施形態は、カテゴリカル・キャプチャ文脈情報が、その他のカテゴリカル文脈情報差閾値を超えて、その他のカテゴリカル受信者文脈情報と異なることに失敗しているという判断に少なくとも部分的に基づいて別の受信者画像の生成の防止を更に実行する。
【００２５】
１つ以上の例示的実施形態は、カテゴリカル・キャプチャ文脈情報が、その他のカテゴリカル文脈情報差閾値を超えて、その他のカテゴリカル受信者文脈情報と異なることに失敗しているという判断に少なくとも部分的に基づいて受信者へのキャプチャ画像の送信の起動の防止を更に実行する。
【００２６】
１つ以上の例示的実施形態は、キャプチャ画像を識別するキャプチャ画像表示入力を示す情報の受信、別の環境受信者文脈情報または別の活動受信者文脈情報を示す別のカテゴリカル受信者文脈情報を有する別の受信者文脈情報の決定、カテゴリカル・キャプチャ文脈情報が、別のカテゴリカル文脈情報差閾値を超えて、その他のカテゴリカル受信者文脈情報と異なっているという判断、受信者画像が、カテゴリカル・キャプチャ文脈情報に少なくとも部分的に基づいた別のカテゴリカル文脈情報差インジケータを有するように、キャプチャ画像に少なくとも部分的に基づいた別の受信者画像の生成、並びに、受信者画像の表示の起動を更に実行する。
【００２７】
少なくとも１つの例示的実施形態においては、カメラ・モジュールは、装置によって含まれており、受信者画像の表示の起動は、装置による受信者画像の表示を有する。
【００２８】
以下、本願発明の実施形態について更に十分に理解するように、添付図面との関連において、以下の説明を参照されたい。
【図面の簡単な説明】
【００２９】
【図１】例示用の一実施形態による装置を示すブロック・ダイアグラムである。
【図２】少なくとも１つの例示的実施形態による装置の通信を示すブロック・ダイアグラムである。
【図３】少なくとも１つの例示的実施形態によるカテゴリカル文脈情報テーブルを示すブロック・ダイアグラムである。
【図４Ａ】少なくとも１つの例示的実施形態によるキャプチャ画像および受信者画像を示す図である。
【図４Ｂ】少なくとも１つの例示的実施形態によるキャプチャ画像および受信者画像を示す図である。
【図４Ｃ】少なくとも１つの例示的実施形態によるキャプチャ画像および受信者画像を示す図である。
【図４Ｄ】少なくとも１つの例示的実施形態によるキャプチャ画像および受信者画像を示す図である。
【図４Ｅ】少なくとも１つの例示的実施形態によるキャプチャ画像および受信者画像を示す図である。
【図５Ａ】少なくとも１つの例示的実施形態によるカテゴリカル文脈情報差インジケータ調節入力を示す図である。
【図５Ｂ】少なくとも１つの例示的実施形態によるカテゴリカル文脈情報差インジケータ調節入力を示す図である。
【図６】少なくとも１つの例示的実施形態による受信者への受信者画像の送信の起動と関連する活動を示す流れ図である。
【図７】少なくとも１つの例示的実施形態による受信者への受信者画像の送信の起動と関連する活動を示す流れ図である。
【図８】少なくとも１つの例示的実施形態による受信者への受信者画像の送信の起動と関連する活動を示す流れ図である。
【図９−１】少なくとも１つの例示的実施形態による受信者への受信者画像の送信の起動と関連する活動を示す流れ図である。
【図９−２】少なくとも１つの例示的実施形態による受信者への受信者画像の送信の起動と関連する活動を示す流れ図である。
【図１０】少なくとも１つの例示的実施形態による受信者画像の表示の起動と関連する活動を示す流れ図である。
【発明を実施するための形態】
【００３０】
本願発明の一実施形態およびその潜在的な利点については、添付図面の図１ないし図１０を参照することにより、理解される。
【００３１】
以下、添付図面を参照し、いくつかの実施形態について更に詳細に説明することとするが、添付図面には、すべてではなく、いくつかの実施形態が示されている。本願発明の様々な実施形態は、多くの異なる形態において実施されることができ、本願明細書において記述されている実施形態に限定されるものと解釈してはならず、むしろ、これらの実施形態は、適用可能な法的要件を本開示が充足するように、提供されるものである。同一の参照符号は、全体を通じて同一の要素を意味している。本願明細書において使用されている「データ」、「コンテンツ」、「情報」という用語、並びに、これらに類似した用語は、本願発明の実施形態に従って送信、受信、および／または、保存される能力を有するデータを意味するように、相互交換可能に使用される場合がある。従って、すべてのこのような用語の使用は、本願発明の実施形態の精神および範囲を限定するものと解釈されるべきではない。
【００３２】
更には、本願明細書において使用されている「回路」という用語は、（ａ）ハードウェアのみの回路実装形態（例えば、アナログ回路および／または、デジタル回路における実装形態）、（ｂ）回路と、本願明細書において記述されている１つ以上の機能を装置に実行させるように協働する１つ以上のコンピュータ可読メモリ内において保存されているソフトウェアおよび／または、ファームウェア命令を有する１つ以上のコンピュータ・プログラムプロダクトの組合せ、並びに、（ｃ）例えば、ソフトウェアまたはファームウェアが物理的に存在していない場合にも、動作のためにソフトウェアまたはファームウェアを必要としている１つ以上のマイクロプロセッサまたは１つ以上のマイクロプロセッサの一部分などの回路を意味している。この「回路」の定義は、任意の請求項を含む本願明細書におけるこの用語のすべての使用に対して適用される。また、更なる例として、本願明細書において使用されている「回路」という用語は、１つ以上のプロセッサおよび／または、その１つ以上の部分、並びに、付随するソフトウェアおよび／または、ファームウェアを有する実装形態をも含む。また、別の例として、本願明細書において使用されている「回路」という用語は、例えば、携帯電話機用のベースバンド集積回路またはアプリケーションプロセッサ集積回路、あるいは、サーバー、セルラーネットワーク装置、その他のネットワーク装置、および／または、その他の演算装置内の類似の集積回路をも含む。
【００３３】
物理媒体（例えば、揮発性または不揮発性メモリ装置）を意味する本願明細書において定義されている「一時的ではないコンピュータ可読媒体」は、電磁信号を意味する「一時的なコンピュータ可読媒体」とは区別されえる。
【００３４】
図１は、少なくとも１つの例示的実施形態による電子装置１０などの装置を示すブロック・ダイアグラムである。ただし、図示されると共に後述される電子装置は、本願発明の実施形態から利益を享受しえる電子装置を例示するものに過ぎず、従って、本願発明の範囲を限定するものと解釈されるべきではないことに留意されたい。電子装置１０は、例示を目的として、図示され、後述されることになるが、その他のタイプの電子装置が本願発明の実施形態を容易に利用することができる。電子装置１０は、パーソナルデジタルアシスタント（ＰＤＡ：Ｐｅｒｓｏｎａｌ  Ｄｉｇｉｔａｌ  Ａｓｓｉｓｔａｎｔ）、ページャ、モバイルコンピュータ、デスクトップコンピュータ、テレビ、ゲーム装置、ラップトップコンピュータ、タブレットコンピュータ、メディアプレーヤー、カメラ、ビデオレコーダ、携帯電話機、全地球測位システム（ＧＰＳ：Ｇｌｏｂａｌ  Ｐｏｓｉｔｉｏｎｉｎｇ  Ｓｙｓｔｅｍ）装置、自動車、キオスク、電子テーブル、および／または、任意のその他のタイプの電子システムであることができる。更には、少なくとも１つの例示的実施形態の装置は、完全な電子装置である必要はなく、その他の例示的実施形態における電子装置の１つのコンポーネントまたはコンポーネントのグループであることができる。例えば、装置は、集積回路、集積回路の組、および／または、これらに類似したものであることができる。
【００３５】
更には、装置は、その移動性を提供するための意図とは無関係に、本願発明の実施形態を容易に利用することができる。この観点において、本願発明の実施形態は、モバイル用途との関連において説明されている場合があるが、本願発明の実施形態は、モバイル通信産業の内部および外部の両方における様々なその他の用途との関連において利用されえることを理解されたい。例えば、装置は、大画面テレビ、電子テーブル、キオスク、自動車、および／または、これらに類似したものなどの非携帯型装置の少なくとも一部分であることができる。
【００３６】
少なくとも１つの例示的実施形態においては、電子装置１０は、プロセッサ１１と、メモリ１２と、を有する。プロセッサ１１は、任意のタイプのプロセッサ、コントローラ、組込み型コントローラ、プロセッサコア、および／または、これらに類似したものであることができる。少なくとも１つの例示的実施形態においては、プロセッサ１１は、１つ以上の動作を装置に実行させるように、コンピュータ・プログラム・コードを利用している。メモリ１２は、組み込まれることができ、および／または、取り外し可能であることができる、データの一時的な保存用のキャッシュエリアを含む揮発性ランダムアクセスメモリ（ＲＡＭ：Ｒａｎｄｏｍ  Ａｃｃｅｓｓ  Ｍｅｍｏｒｙ）などの揮発性メモリおよび／または、例えば、不揮発性のメモリなどのその他のメモリを有することができる。不揮発性メモリは、ＥＥＰＲＯＭ、フラッシュメモリ、および／または、これらに類似したものを有することができる。メモリ１２は、いくつかの情報片およびデータのうちの任意のものを保存することができる。情報およびデータは、本願明細書において記述されている機能などの電子装置１０の１つ以上の機能を実装するように、電子装置１０によって使用されることができる。少なくとも１つの例示的実施形態においては、メモリ１２は、メモリおよびコンピュータ・プログラム・コードが、プロセッサと協働して、本願明細書において記述されている１つ以上の動作を装置に実行させるように構成されるように、コンピュータ・プログラムを含む。
【００３７】
電子装置１０は、通信装置１５を更に有することができる。少なくとも１つの例示的実施形態においては、通信装置１５は、送信機および／または、受信機との間における動作可能な通信状態にある１つのアンテナ（または、複数のアンテナ）、有線コネクタ、および／または、これらに類似したものを有する。少なくとも１つの例示的実施形態においては、プロセッサ１１は、信号を送信機に提供すると共に／または受信機から信号を受信している。信号は、通信インターフェイス規格に従ったシグナリング情報、ユーザの発話、受信したデータ、ユーザによって生成されたデータ、および／または、これらに類似したものを有することができる。通信装置１５は、１つ以上の無線インターフェイス規格、通信プロトコル、変調タイプ、およびアクセスタイプに伴って動作することができる。例として、電子通信装置１５は、第２世代（２Ｇ）無線通信プロトコルＩＳ−１３６（時分割多重アクセス（ＴＤＭＡ：Ｔｉｍｅ  Ｄｉｖｉｓｉｏｎ  Ｍｕｌｔｉｐｌｅ  Ａｃｃｅｓｓ））、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）、およびＩＳ−９５（符号分割多重アクセス（ＣＤＭＡ：Ｃｏｄｅ  Ｄｉｖｉｓｉｏｎ  Ｍｕｌｔｉｐｌｅ  Ａｃｃｅｓｓ））、ＵＭＴＳ（Ｕｎｉｖｅｒｓａｌ  Ｍｉｂｌｅ  Ｔｅｌｅｃｏｍｍｕｎｉｃａｔｉｏｎｓ  Ｓｙｓｔｅｍ）、ＣＤＭＡ２０００、ワイドバンドＣＤＭＡ（ＷＣＤＭＡ）、および時分割同期ＣＤＭＡ（ＴＤ−ＳＣＤＭＡ）などの第３世代（３Ｇ）無線通信プロトコル、並びに／あるいは、第４世代（４Ｇ）無線通信プロトコル、８０２．１１などの無線ネットワークプロトコル、Ｂｌｕｅｔｏｏｔｈなどの近距離無線プロトコル、および／または、これらに類似したものに従って動作することができる。通信装置１５は、Ｅｔｈｅｒｎｅｔ、デジタル加入者線（ＤＳＬ：Ｄｉｇｉｔａｌ  Ｓｕｂｓｃｒｉｂｅｒ  Ｌｉｎｅ）、非同期転送モード（ＡＴＭ：Ａｓｙｎｃｈｒｏｎｏｕｓ  Ｔｒａｎｓｆｅｒ  Ｍｏｄｅ）、および／または、これらに類似したものなどの有線プロトコルに従って動作することができる。
【００３８】
プロセッサ１１は、オーディオ、ビデオ、通信、ナビゲーション、論理機能、および／または、これらに類似したものを実装するだけでなく、例えば、本願明細書において記述されている機能のうちの１つまたは複数を含む本願発明の実施形態を実装するための回路などの手段を有することができる。例えば、プロセッサ１１は、例えば、本願明細書において記述されている機能のうちの１つまたは複数を含む様々な機能を実行するためのデジタル信号プロセッサ装置、マイクロプロセッサ装置、様々なアナログ−デジタルコンバータ、デジタル−アナログコンバータ、処理回路、およびその他のサポート回路などの手段を有することができる。装置は、その個々の能力に従って、これらの装置の間において電子装置１０の制御および信号処理機能を実行することができる。従って、プロセッサ１１は、変調および送信の前に、メッセージとデータをエンコードおよびインターリーブするための機能を有することができる。プロセッサ１１は、内部音声コーダを更に有することができ、内部データモデルを有することができる。更には、プロセッサ１１は、１つ以上のソフトウェアプログラムを動作させるための機能を有することができ、これらのソフトウェアプログラムは、メモリ内に保存されることができ、数あるなかで、例えば、本願明細書において記述されている機能のうちの１つまたは複数を含む少なくとも１つの実施形態をプロセッサ１１に実装させることができる。例えば、プロセッサ１１は、従来のインターネットブラウザなどの接続プログラムを動作させることができる。接続プログラムは、電子装置１０が、例えば、ＴＣＰ（Ｔｒａｎｓｍｉｓｓｉｏｎ  Ｃｏｎｔｒｏｌ  Ｐｒｏｔｏｃｏｌ）、ＩＰ（Ｉｎｔｅｒｎｅｔ  Ｐｒｏｔｏｃｏｌ）、ＵＤＰ（Ｕｓｅｒ  Ｄａｔａｇｒａｍ  Ｐｒｏｔｏｃｏｌ）、ＩＭＡＰ（Ｉｎｔｅｒｎｅｔ  Ｍｅｓｓａｇｅ  Ａｃｃｅｓｓ  Ｐｒｏｔｏｃｏｌ）、ＰＯＰ（Ｐｏｓｔ  Ｏｆｆｉｃｅ  Ｐｒｏｔｏｃｏｌ）、ＳＭＴＰ（Ｓｉｍｐｌｅ  Ｍａｉｌ  Ｔｒａｎｓｆｅｒ  Ｐｒｏｔｏｃｏｌ）、ＷＡＰ（Ｗｉｒｅｌｅｓｓ  Ａｐｐｌｉｃａｔｉｏｎ  Ｐｒｏｔｏｃｏｌ）、ＨＴＴＰ（ＨｙｐｅｒＴｅｘｔ  Ｔｒａｎｓｆｅｒ  Ｐｒｏｔｏｃｏｌ）、および／または、これらに類似したものに従って、場所に基づいたコンテンツおよび／または、その他のウェブページコンテンツなどのインターネットコンテンツを送信および受信することを許容することができる。
【００３９】
電子装置１０は、出力を提供すると共に／または入力を受信するためのユーザインターフェイスを有することができる。電子装置１０は、出力装置１４を有することができる。出力装置１４は、リンガー、イヤフォン、スピーカ、および／または、これらに類似したものなどのオーディオ出力装置を有することができる。出力装置１４は、振動トランスデューサ、電気変形可能表面、電子変形可能構造、および／または、これらに類似したものなどの触覚出力装置を有することができる。出力装置１４は、ディスプレイ、ライト、および／または、これらに類似したものなどの視覚出力装置を有することができる。少なくとも１つの例示的実施形態においては、装置は、情報の表示を起動し、表示の起動は、装置によって含まれているディスプレイ上において情報を表示するステップ、ディスプレイを有する別個の装置に情報を送信するステップ、および／または、これらに類似したものを有することができる。電子装置は、入力装置１３を有することができる。入力装置１３は、光センサ、近接センサ、マイクロフォン、接触センサ、力センサ、ボタン、キーパッド、モーションセンサ、磁界センサ、カメラ、および／または、これらに類似したものを有することができる。接触センサおよびディスプレイは、接触ディスプレイとして特徴付けることができる。接触ディスプレイを有する実施形態においては、接触ディスプレイは、単一の接触点、複数の接触点、および／または、これらに類似したものから入力を受け取るように構成されることができる。このような実施形態においては、接触ディスプレイおよび／または、プロセッサは、位置、動き、速度、接触エリア、および／または、これらに類似したものに少なくとも部分的に基づいて入力を決定することができる。少なくとも１つの例示的実施形態においては、装置は、入力の通知を受け取っている。装置は、センサ、ドライバ、別個の装置、および／または、これらに類似したものから通知を受け取ることができる。入力を示す情報は、入力を通知する、入力の態様を通知する、入力の発生を通知する、および／または、これらに類似したものを通知する情報を伝達する情報を有することができる。
【００４０】
電子装置１０は、抵抗性、静電容量性、赤外線、ひずみゲージ、表面波、光学撮像、分散信号技術、音響パルス認識、またはその他の技法のうちの任意のものによって接触認識を可能にすると共に、次いで、場所を通知する信号および接触と関連付けられたその他のパラメータを提供するように、構成されたものを含む様々な接触ディスプレイのうちの任意のものを含むことができる。更には、接触ディスプレイは、選択物体（例えば、指、スタイラス、ペン、鉛筆、またはその他のポインティング装置）と接触ディスプレイの間の実際の物理的な接触として定義されえる接触イベントの形態において入力の通知を受け取るように構成されることができる。あるいは、この代わりに、接触イベントは、物理的接触が接触ディスプレイとの間において実施されないにもかかわらず、選択物体を接触ディスプレイの近傍に持ってくること、表示された物体の上方においてホバリングさせること、あるいは、物体を予め定義された距離内に接近させること、として定義されることができる。従って、接触入力は、実際の物理的接触を伴う接触イベント、並びに、接触ディスプレイに対する選択物体の接近の結果などのように、物理的接触を伴わないが、その他の方法で接触ディスプレイによって検出される接触イベントをも含む接触ディスプレイによって検出される任意の入力を有することができる。接触ディスプレイは、接触入力との関係において接触スクリーンに印加された力と関連した情報を受け取る能力を有することができる。例えば、接触スクリーンは、重い押圧の接触入力と軽い押圧の接触入力を区別することができる。少なくとも１つの例示的実施形態においては、ディスプレイは、二次元情報、三次元情報、および／または、これらに類似したものを表示することができる。
【００４１】
キーパッドを含む実施形態においては、キーパッドは、電子装置１０を動作させるために、数字（例えば、０−９）キー、シンボルキー（例えば、＃、＊）、アルファベットキー、および／または、これらに類似したものを有することができる。例えば、キーパッドは、従来のＱＷＥＲＴＹキーパッド構成を有することができる。また、キーパッドは、関連する機能を有する様々なソフトキーを有することができる。更には、あるいは、この代わりに、電子装置１０は、ジョイスティックまたはその他のユーザ入力インターフェイスなどのインターフェイス装置を有することができる。
【００４２】
入力装置１３は、メディア・キャプチャ要素を有することができる。メディア・キャプチャ要素は、保存、表示、または送信のために、画像、ビデオ、および／または、オーディオをキャプチャするための任意の手段であることができる。例えば、メディア・キャプチャ要素がカメラ・モジュールである少なくとも１つの例示的実施形態においては、カメラ・モジュールは、キャプチャされた画像からデジタル画像ファイルを形成しえるデジタルカメラを有することができる。従って、カメラ・モジュールは、レンズおよび１つ以上のその他の光学コンポーネントなどのハードウェア、並びに／あるいは、キャプチャされた画像からデジタル画像ファイルを生成するために必要とされるソフトウェアを有することができる。あるいは、この代わりに、カメラ・モジュールは、画像を閲覧するためのハードウェアのみを有することができ、電子装置１０のメモリ装置が、キャプチャされた画像からデジタル画像ファイルを生成するためのソフトウェアの形態におけるプロセッサによる実行のための命令を保存している。少なくとも１つの例示的実施形態においては、カメラ・モジュールは、画像データの処理の際にプロセッサ１１を支援するコプロセッサなどの処理要素および／または、画像データを圧縮および／または、圧縮解除するためのエンコーダおよび／または、デコーダを更に有することができる。エンコーダおよび／または、デコーダは、例えば、ＪＰＥＧ（Ｊｏｉｎｔ  Ｐｈｏｔｏｇｒａｐｈｉｃ  Ｅｘｐｅｒｔｓ  Ｇｒｏｕｐ）規格フォーマットなどの標準フォーマットに従ってエンコードおよび／または、デコードすることができる。
【００４３】
図２は、少なくとも１つの例示的実施形態による装置の通信を示す図である。図２の例は、例に過ぎず、請求項の範囲を限定するものではない。例えば、通信経路が変化することができ、装置の数が変化することができ、サーバーの数が変化することができ、および／または、これらに類似した変化が発生することができる。
【００４４】
図２は、少なくとも１つの例示的実施形態による装置の通信を示す図である。図２の例は、通信チャネル２１２によるサーバー２０６との間における通信状態にある装置２０２と、通信チャネル２１４によるサーバー２０６との間における通信状態にある装置２０４と、を示している。図２は、装置２０２と装置２０４の間の通信チャネル２１６を示しているが、装置２０２および装置２０４は、１つ以上の別個の装置を介して間接的に通信することができることを理解されたい。例えば、装置２０２は、通信チャネル２１２および２１４によってサーバー２０６を介して装置２０４と間において間接的に通信することができ、装置２０４は、通信チャネル２１４および２１２によってサーバー２０６を介して装置２０２と間において間接的に通信することができる。例えば、装置２０２は、通信チャネル２１６によって装置２０４に対して情報を送信するステップを起動することができ、装置２０２は、サーバー２０６によって装置２０４から情報を受信することができ、サーバー２０６は、装置２０２から送信された情報を受信することができ、および／または、これらに類似した動作を実行することができる。
【００４５】
図２は、装置２０２とサーバー２０６の間における、装置２０４とサーバー２０６の間における直接的な接続を示しているが、装置２０２とサーバー２０６の間の、および／または、装置２０４とサーバー２０６の間の通信を促進する中間装置が存在することができることを理解されたい。例えば、装置２０２とサーバー２０６の間の、および／または、装置２０４とサーバー２０６の間の、通信チャネルにおいて利用される１つ以上のルーター、ハブ、スイッチ、ゲートウェイ、および／または、これらに類似したものが存在することができる。更には、装置２０２、装置２０４、並びに／あるいは、サーバー２０６が通信状態にあるその他の別個の装置が存在することができる。例えば、装置２０２、装置２０４、および／または、サーバー２０６は、異なるサーバー、別の別個の装置、および／または、これらに類似したものとの間における通信状態にあることができる。
【００４６】
図３は、少なくとも１つの例示的実施形態によるカテゴリカル文脈情報テーブルを示すブロック・ダイアグラムである。図３の例は、例に過ぎず、請求項の範囲を限定するものではない。例えば、カテゴリカル文脈情報テーブルコンテンツが変化することができ、カテゴリカル文脈情報テーブル構造が変化することができ、カテゴリが変化することができ、および／または、これらに類似した変化が発生することができる。
【００４７】
電子装置が、ますます一般的に、また普及した状態になるのに伴って、多くのユーザは、自身の生活の様々な態様を管理するように、画像をキャプチャするように、写真を共有するように、写真を閲覧するように、以前の経験を思い出すように、および／または、これらに類似したことを実行するように、ますます、自身の電子装置を利用するようになっている。例えば、ユーザは、自宅における極寒の冬から一時的に逃避するように、休日に、カリブ海に旅行することができる。多くの状況において、ユーザは、将来のなんらかの時点において、カリブ海における自身の休日の様々な態様を思い出すと共に／または追体験することを望む場合がある。従って、装置が、装置の環境に関する、ユーザに関する、装置の使用法に関する、および／または、これらに類似したことに関する様々な情報を認知しえるように、装置を構成することが望ましい。少なくとも１つの例示的実施形態においては、装置は、少なくとも１つのカテゴリカル文脈情報を有する文脈情報を決定している。少なくとも１つの例示的実施形態においては、文脈情報は、装置の使用と関連した文脈の１つ以上の要素を識別する情報である。
【００４８】
少なくとも１つの例示的実施形態においては、文脈情報は、特定の文脈情報のカテゴリ、文脈情報のタイプ、および／または、これらに類似したものと関連付けられている。例えば、文脈情報は、カテゴリカル文脈情報であることができる。このような例においては、カテゴリカル文脈情報は、環境文脈情報、活動文脈情報、および／または、これらに類似したものを示すことができる。
【００４９】
少なくとも１つの例示的実施形態においては、文脈情報は、環境文脈情報である。例えば、環境文脈情報は、装置が、利用されている、やり取りしている、および／または、これらに類似した状況にある環境文脈の１つ以上の要素を示す情報であることができる。環境文脈情報は、非場所環境文脈情報、場所環境文脈情報、および／または、これらに類似したものであることができる。少なくとも１つの例示的実施形態においては、非場所環境文脈情報は、天候文脈情報、温度文脈情報、社会文脈情報、混雑度文脈情報、聴覚文脈情報、時間文脈情報、またはムード文脈情報のうちの少なくとも１つである。
【００５０】
少なくとも１つの例示的実施形態においては、文脈情報は、天候カテゴリと関連付けられている。従って、文脈情報は、天候文脈情報であることができる。天候文脈情報は、特定の時刻における、装置とやり取りしている際の、および／または、これに類似した状況における天候を通知することができる。例えば、天候文脈情報は、太陽が輝いていることを通知することができ、雨が降っていることを通知することができ、垂れ込めた霧が存在していることを通知することができ、空が曇っていることを通知することができ、持続的な雷雨が存在していることを通知することができ、厳しい天候が存在していることを通知することができ、および／または、これに類似した内容を通知することができる。少なくとも１つの例示的実施形態においては、装置は、天候サービスによって天候文脈情報を決定している。例えば、装置は、天候文脈情報に対する要求を天候サービスに対して送信することができ、天候サービスから天候文脈情報を受信することができる。
【００５１】
少なくとも１つの例示的実施形態においては、文脈情報は、温度カテゴリと関連付けられている。従って、文脈情報は、温度文脈情報であることができる。温度文脈情報は、特定の時刻における、装置とやり取りしている際の、および／または、これに類似した状態における温度を通知することができる。例えば、温度文脈情報は、氷点未満であることを通知することができ、摂氏３２度であることを通知することができ、および／または、これらに類似した内容を通知することができる。少なくとも１つの例示的実施形態においては、装置は、１つ以上の温度サービスによって温度文脈情報を決定している。例えば、装置は、温度文脈情報に対する要求を温度サービスに対して送信することができ、温度サービスから温度文脈情報を受信することができる。少なくとも１つの例示的実施形態においては、装置は、１つ以上の温度センサによって温度文脈情報を決定している。温度センサは、装置によって含まれていることができ、別個の装置によって含まれていることができ、および／または、これらに類似したものによって含まれることができる。このような例示的実施形態においては、装置は、温度センサから温度文脈情報を受信することができる。
【００５２】
少なくとも１つの例示的実施形態においては、文脈情報は、社会カテゴリと関連付けられている。従って、文脈情報は、社会文脈情報であることができる。社会文脈情報は、１つ以上の人物が装置のユーザの近傍に位置していることを通知することができ、装置のユーザの近傍に位置した１つ以上の人物を識別することができ、および／または、これらに類似した内容を実行することができる。例えば、社会文脈情報は、ユーザが、ジョン・スミス氏と会話していることを通知することができ、ユーザがその他の人物と共にテーブルに着席していることを通知することができ、および／または、これらに類似した内容を通知することができる。少なくとも１つの例示的実施形態においては、装置は、視覚情報によって社会文脈情報を決定している。例えば、装置は、顔面認識、画像認識、および／または、これらに類似したものを介して、人物の表現を有する視覚情報により、人物を識別することができる。少なくとも１つの例示的実施形態においては、装置は、聴覚情報によって社会文脈情報を決定している。例えば、装置は、音声認識、聴覚識別キュー、および／または、これらに類似したものを介して、聴覚情報により、人物を識別することができる。
【００５３】
少なくとも１つの例示的実施形態においては、文脈情報は、混雑カテゴリと関連付けられている。従って、文脈情報は、混雑度文脈情報であることができる。混雑度文脈情報は、装置のユーザの近傍に位置した何人かの人物を通知することができ、ユーザが混雑したエリア内に位置していることを通知することができ、ユーザが混雑していないエリア内に位置していることを通知することができ、および／または、これらに類似した内容を通知することができる。少なくとも１つの例示的実施形態においては、装置は、１つ以上の混雑サービスによって混雑度文脈情報を決定している。例えば、装置は、混雑度文脈情報に対する要求を混雑サービスに対して送信することができ、混雑サービスから混雑度文脈情報を受信することができる。例えば、装置は、混雑サービスに対する要求内において、装置の場所および時刻を識別することができ、その場所におけるその時刻における平均的な混雑のレベルを示す混雑度文脈情報を受信することができる。少なくとも１つの例示的実施形態においては、装置は、混雑度文脈情報を視覚情報によって決定している。例えば、装置は、顔面認識、画像認識、および／または、これらに類似したものを介して、ユーザの環境の少なくとも一部分の表現を有する視覚情報により、装置のユーザの近傍に位置した何人かの人物を識別することができる。少なくとも１つの例示的実施形態においては、装置は、聴覚情報によって混雑度文脈情報を決定している。例えば、装置は、音響認識、音声認識、および／または、これらに類似したものを介して、聴覚情報により、装置のユーザの近傍に位置した何人かの人物を識別することができる。
【００５４】
少なくとも１つの例示的実施形態においては、文脈情報は、聴覚カテゴリと関連付けられている。従って、文脈情報は、聴覚文脈情報であることができる。聴覚文脈情報は、装置のユーザの環境と関連した全般的な音量を通知することができ、特定の音響を識別することができ、および／または、これらに類似した内容を実行することができる。例えば、聴覚文脈情報は、ユーザが騒々しい環境に位置していることを通知することができ、ユーザが静かな環境に位置していることを通知することができ、バックグラウンドのノイズレベルが約４２デシベルであることを通知することができ、および／または、これらに類似した内容とを通知することができる。別の例においては、聴覚文脈情報は、装置のユーザの近傍において再生されている音楽を識別することができ、波浪の音を識別することができ、鳥の鳴き声を識別することができ、および／または、これらに類似した内容を識別することができる。少なくとも１つの例示的実施形態においては、装置は、聴覚情報によって聴覚文脈情報を決定している。例えば、装置は、聴覚認識、音響認識、および／または、これらに類似したものを介して、聴覚情報により、特定の音を識別することができる。聴覚情報は、例えば、マイクロフォンなどの聴覚センサから受信されることができる。このような例においては、マイクロフォンは、装置によって含まれていることができ、別個の装置によって含まれていることができ、および／または、これらに類似したものによって含まれることができる。
【００５５】
少なくとも１つの例示的実施形態においては、文脈情報は、時間カテゴリと関連付けられている。従って、文脈情報は、時間文脈情報であることができる。時間文脈情報は、時刻、曜日、月、年、および／または、これらに類似したものを通知することができる。例えば、時間文脈情報は、時刻が１８：３７であることを通知することができ、時刻が夜明けに対応していることを通知することができ、時刻が夕方に対応していることを通知することができ、および／または、これらに類似した内容を通知することができる。少なくとも１つの例示的実施形態においては、装置は、１つ以上の時間サービスによって時間文脈情報を決定している。例えば、装置は、時間文脈情報に対する要求を時間サービスに対して送信することができ、時間サービスから時間文脈情報を受信することができる。少なくとも１つの例示的実施形態においては、装置は、ハードウェアクロック、ソフトウェアクロック、ハードウェアタイマ、ソフトウェアタイマ、および／または、これらに類似したものによって時間文脈情報を決定している。例えば、装置は、装置によって含まれている１つ以上のハードウェアクロックにより、時間文脈情報を決定することができる。
【００５６】
少なくとも１つの例示的実施形態においては、文脈情報は、ムードカテゴリと関連付けられている。従って、文脈情報は、ムード文脈情報であることができる。ムード文脈情報は、装置のユーザのムードを通知することができ、装置のユーザと関連したおよび／または、その近傍に位置した別の人物のムードを通知することができ、および／または、これらに類似した内容を通知することができる。例えば、ムード文脈情報は、ユーザが幸せであることを通知することができ、ユーザが驚いていることを通知することができ、ユーザの隣に着座した人物がリラックスしていることを通知することができ、および／または、これらに類似した内容を通知することができる。少なくとも１つの例示的実施形態においては、装置は、１つ以上のムード・サービス、ソーシャル・ネットワーク、および／または、これらに類似したものにより、ムード文脈情報を決定している。例えば、装置は、ムード文脈情報に対する要求をムード・サービスに対して送信することができ、ムード・サービスからムード文脈情報を受信することができる。
【００５７】
いくつかの状況においては、装置が、地理的場所と関連付けられた文脈情報を決定しえるように、装置を構成することが望ましい。例えば、装置のユーザは、装置が、ユーザの場所、装置の場所、および／または、これらに類似したものと関連した１つ以上の態様を認知することを望む場合がある。少なくとも１つの例示的実施形態においては、環境文脈情報は、場所環境文脈情報である。少なくとも１つの例示的実施形態においては、場所環境文脈情報は、場所文脈情報または高度文脈情報のうちの少なくとも１つである。
【００５８】
少なくとも１つの例示的実施形態においては、文脈情報は、場所カテゴリと関連付けられている。従って、文脈情報は、場所文脈情報であることができる。場所文脈情報は、地理的場所、国、都市、および／または、これらに類似したものを通知することができる。例えば、場所文脈情報は、ユーザがカリブ海に位置していると通知することができ、装置の場所と関連した全地球測位システム座標の組を識別することができ、および／または、これらに類似した内容を実行することができる。少なくとも１つの例示的実施形態においては、装置は、場所文脈情報を１つ以上の場所サービスによって決定している。例えば、装置は、場所文脈情報に対する要求を場所サービスに対して送信することができ、場所サービスから場所文脈情報を受信することができる。少なくとも１つの例示的実施形態においては、装置は、全地球測位システム、高周波三角測量測位システム、および／または、これらに類似したものにより、場所文脈情報を決定している。装置は、例えば、全地球測位システムセンサ、高周波センサ、および／または、これらに類似したものなどの１つ以上の場所センサを有することができる。場所センサは、装置によって含まれていることができ、別個の装置によって含まれていることができ、および／または、これらに類似したものによって含まれることができる。このような例示的実施形態においては、装置は、場所センサから場所文脈情報を受信することができる。
【００５９】
少なくとも１つの例示的実施形態においては、文脈情報は、高度カテゴリと関連付けられている。従って、文脈情報は、高度文脈情報であることができる。高度文脈情報は、装置の高度を通知することができる。例えば、高度文脈情報は、装置が、海面レベル超であることを通知することができ、海面レベル未満であることを通知することができ、海面レベルの１１７４メートル上方であることを通知することができ、および／または、これらに類似した内容を通知することができる。少なくとも１つの例示的実施形態においては、装置は、１つ以上の高度サービスによって高度文脈情報を決定している。例えば、装置は、高度文脈情報に対する要求を高度サービスに対して送信することができ、高度サービスから高度文脈情報を受信することができる。例えば、装置は、高度サービスに対する要求において装置の場所を識別することができ、その装置の場所に対応した高度文脈情報を受信することができる。少なくとも１つの例示的実施形態においては、装置は、高度センサによって高度文脈情報を決定している。例えば、装置は、例えば、高度計、圧力センサ、および／または、これらに類似したものなどの１つ以上の高度センサを有することができる。高度センサは、装置によって含まれていることができ、別個の装置によって含まれていることができ、および／または、これらに類似したものによって含まれることができる。このような例示的実施形態においては、装置は、高度センサから高度文脈情報を受信することができる。
【００６０】
少なくとも１つの例示的実施形態においては、文脈情報は、活動文脈情報である。例えば、活動文脈情報は、装置が、利用されている、やり取りしている、および／または、これに類似した状況にある活動文脈の１つ以上の要素を示す情報であることができる。例えば、活動文脈情報は、装置のユーザ、装置のユーザの行動、および／または、これらに類似したものの１つ以上の態様および／または、特性を通知することができる。少なくとも１つの例示的実施形態においては、活動文脈情報は、速度文脈情報、緊急度文脈情報、または行動文脈情報のうちの少なくとも１つである。
【００６１】
少なくとも１つの例示的実施形態においては、文脈情報は、速度カテゴリと関連付けられている。従って、文脈情報は、速度文脈情報であることができる。速度文脈情報は、装置が移動している速度を通知することができ、装置を携帯するユーザが移動している速度を通知することができ、装置のユーザの速度を通知することができ、および／または、これらに類似した内容を通知することができる。例えば、速度文脈情報は、装置が静止状態にあることを通知することができ、装置のユーザが静止状態にあることを通知することができ、装置のユーザが低速で移動していることを通知することができ、装置が迅速に移動していることを通知することができ、装置のユーザが３７キロメートル／時間で移動していることを通知することができ、装置が１７ノットにおいて北西方向に移動していることを通知することができ、および／または、これらに類似した内容を通知することができる。少なくとも１つの例示的実施形態においては、装置は、１つ以上の速度センサによって速度文脈情報を決定している。装置は、例えば、全地球測位システムセンサ、歩数計、自転車速度センサ、および／または、これらに類似したものなどの１つ以上の速度センサを有することができる。速度センサは、装置によって含まれていることができ、別個の装置によって含まれていることができ、および／または、これらに類似したものによって含まれることができる。このような例示的実施形態においては、装置は、速度文脈情報を速度センサから受信することができる。
【００６２】
少なくとも１つの例示的実施形態においては、文脈情報は、緊急度カテゴリと関連付けられている。従って、文脈情報は、緊急度文脈情報であることができる。緊急度文脈情報は、装置のユーザが、特定の時点において、特定の期間において、および／または、これらに類似したものにおいて経験している活動の全般的なレベルを通知することができる。例えば、緊急度文脈情報は、装置のユーザのスケジュールが空いていることを通知することができ、ユーザのカレンダーが来週予約されていることを通知することができ、および／または、これらに類似した内容を通知することができる。少なくとも１つの例示的実施形態においては、装置は、１つ以上のカレンダーサービス、スケジュールサービス、および／または、これらに類似したものにより、緊急度文脈情報を決定している。例えば、装置は、緊急度文脈情報に対する要求をカレンダーサービスに対して送信することができ、カレンダーサービスから緊急度文脈情報を受信することができる。
【００６３】
少なくとも１つの例示的実施形態においては、文脈情報は、行動カテゴリと関連付けられている。従って、文脈情報は、行動文脈情報であることができる。行動文脈情報は、装置のユーザによって実行されている行動を通知することができ、ユーザが従事している活動を通知することができ、および／または、これらに類似したものを通知することができる。例えば、行動文脈情報は、ユーザが歩いていることを通知することができ、ユーザが自転車に乗っていることを通知することができ、ユーザが走っていることを通知することができ、ユーザが静止状態にあることを通知することができ、ユーザがもたれかかっていることを通知することができ、および／または、これらに類似した内容を通知することができる。少なくとも１つの例示的実施形態においては、装置は、１つ以上の速度センサ、モーションセンサ、向きセンサ、および／または、これらに類似したものにより、行動文脈情報を決定している。例えば、装置は、例えば、加速度計などの１つ以上のモーションセンサを有することができ、加速度計から受け取った情報に少なくとも部分的に基づいて、ユーザが低速で歩いていると判断することができる。別の例においては、向きセンサから受け取った情報は、ユーザがもたれかかった位置において休んでいると通知することができる。
【００６４】
多くの状況においては、文脈情報を１つ以上のカテゴリカル文脈情報テーブル内において保存することが望ましい。少なくとも１つの例示的実施形態においては、文脈情報は、文脈的状況が特定の時点において存在することに伴って、それらの文脈的状況の組を示している。例えば、所定の時点と、異なっている時点と、が、異なる文脈的状況と関連付けることができる。従って、後からの検討、後からの取得、および／または、これらに類似した内容を許容するような方式で、文脈情報を保存することが望ましい。少なくとも１つの例示的実施形態においては、文脈情報は、１つ以上のカテゴリカル文脈テーブル内において保存されている。カテゴリカル文脈情報テーブルは、カテゴリカル文脈情報、カテゴリカル文脈情報と関連した１つ以上のカテゴリ、カテゴリカル文脈情報によって通知される１つ以上の値、および／または、これらに類似したものを示す情報を有することができる。
【００６５】
図３は、少なくとも１つの例示的実施形態によるカテゴリカル文脈情報テーブルを示すブロック・ダイアグラムである。図３の例は、カテゴリカル文脈情報テーブル３００、カテゴリカル文脈情報テーブル３１０、およびカテゴリカル文脈情報テーブル３２０を示している。図３の例においては、カテゴリ３０２、３０４、３０６、３１２、３１４、３１６、３２２、３２４、および３２６は、カテゴリカル文脈情報の特定のカテゴリを通知し、値３０３、３０５、３０７、３１３、３１５、３１７、３２３、３２５、および３２７は、カテゴリカル文脈情報の個々のカテゴリと関連した特定の値を示している。
【００６６】
例えば、カテゴリ３０２は、温度文脈情報を通知することができ、値３０３は、摂氏３２度の温度を通知することができる。このような例においては、装置は、温度サービス、温度センサ、および／または、これらに類似したものにより、温度文脈情報を決定することができる。別の例においては、カテゴリ３１４は、天候文脈情報を通知することができ、値３１５は、曇った状態を通知することができる。このような例においては、装置は、天候サービスによって天候文脈情報を決定することができる。更に別の例においては、カテゴリ３１６は、混雑度文脈情報を通知することができ、値３２７は、装置を取り囲むエリア内に位置した人物がほとんど存在していないと通知することができる。このような例においては、装置は、混雑サービス、視覚情報、聴覚情報、および／または、これらに類似したものにより、混雑度文脈情報を決定することができる。
【００６７】
図４Ａないし図４Ｅは、少なくとも１つの例示的実施形態によるキャプチャ画像および受信者画像を示す図である。図４Ａないし図４Ｅの例は、例に過ぎず、請求項の範囲を限定するものではない。例えば、キャプチャ画像が変化することができ、受信者画像が変化することができ、カテゴリカル文脈情報差インジケータが変化することができ、および／または、これらに類似したものが変化することができる。
【００６８】
電子装置がますます一般的に、また、普及した状態となるのに伴って、多くのユーザは、画像をキャプチャするように、写真を共有するように、写真を閲覧するように、以前の経験を思い出すように、および／または、これらに類似したことを実行するように、自身の電子装置をますます利用するようになっている。例えば、上述のように、ユーザは、自宅の極寒の冬から一時的に逃避するように、休日に、カリブ海に旅行することができる。このような状況においては、ユーザは、将来のなんらかの時点において、カリブ海における自身の休日の様々な態様を思い出すと共に／または追体験することを望む場合がある。少なくとも１つの例示的実施形態においては、装置は、カメラ・モジュールからのキャプチャ画像を示す情報を受信している。キャプチャ画像は、画像、写真、ビューファインダ情報、および／または、これらに類似したものであることができる。カメラ・モジュールは、装置、別個の装置、および／または、これらに類似したものによって含まれることができる。
【００６９】
図４Ａは、少なくとも１つの例示的実施形態によるキャプチャ画像を示す図である。図４Ａの例は、キャプチャ画像４００を示している。観察されえるように、キャプチャ画像４００は、海の近くのビーチに配置されたテーブル上のチョコレート・ボールとワイン・ボトルの状態を示している。図４Ａの例においては、装置のユーザは、休日に、カリブ海に旅行することができる。このような例においては、ビーチのテーブルに着座した状態において、ユーザは、装置によって含まれているカメラ・モジュールを介して、キャプチャ画像４００をキャプチャすることができる。
【００７０】
多くの状況においては、キャプチャ画像を文脈情報と関連付けることが望ましい。例えば、ユーザは、キャプチャ画像と関連した更なる文脈情報を思い出すことにより、キャプチャ画像において示されている主題を更に十分に追体験することを望む場合がある。少なくとも１つの例示的実施形態においては、キャプチャ画像に関する文脈情報は、キャプチャ文脈情報である。このような例示的実施形態においては、キャプチャ画像に関するカテゴリカル文脈情報は、カテゴリカル・キャプチャ文脈情報であり、キャプチャ画像に関する環境文脈情報は、環境キャプチャ文脈情報であり、キャプチャ画像に関する活動文脈情報は、活動キャプチャ文脈情報である。少なくとも１つの例示的実施形態においては、装置は、少なくとも１つのカテゴリカル・キャプチャ文脈情報を有するキャプチャ文脈情報を決定している。カテゴリカル・キャプチャ文脈情報は、キャプチャ画像の受信の時点における環境キャプチャ文脈情報またはキャプチャ画像の受信の時点における活動キャプチャ文脈情報を示すことができる。例えば、キャプチャ画像の受信の時点における環境キャプチャ文脈情報を示すカテゴリカル・キャプチャ文脈情報は、環境キャプチャ文脈情報が、キャプチャ画像の受信の時点における環境キャプチャ文脈情報を通知するように、キャプチャ画像の受信の時点に日時的に近接した時点における環境キャプチャ文脈情報であることができる。例えば、環境キャプチャ文脈情報は、キャプチャ画像の受信時点の前の、キャプチャ画像の受信時点の後の、および／または、これらに類似した、時点からのものであることができる。このような例においては、キャプチャ画像の受信の時点の前に受信された環境キャプチャ文脈情報は、異なるおよび／または、更新済みの環境キャプチャ文脈情報が、決定される、受信される、および／または、これらに類似した内容が実行される時点まで、有効であるものとして取り扱うことができる。
【００７１】
例えば、図４Ａのキャプチャ画像４００は、様々なキャプチャ文脈情報と関連付けることができる。例えば、キャプチャ画像４００は、図３のカテゴリカル文脈情報テーブル３００と関連付けることができる。例えば、キャプチャ画像４００は、摂氏３２度を通知する温度文脈情報、晴れ渡り、太陽が輝いている空を通知する天候文脈情報、および海の景色を楽しむ人々によってビーチが混雑していることを示す混雑度文脈情報と関連付けることができる。
【００７２】
多くの状況においては、ユーザは、別の人物との間においてキャプチャ画像の表現を共有することを望む場合がある。例えば、休日に、ユーザは、故郷の友人、同僚、家族との間において、電子メールを介して、１つ以上のソーシャル・ネットワークを介して、および／または、これらに類似したものを介して、図４Ａのキャプチャ画像４００を共有することを望む場合がある。少なくとも１つの例示的実施形態においては、装置は、キャプチャ画像の表現を受信するべき受信者を識別している。例えば、装置は、受信者の身元情報を示す情報を受信することができ、装置は、受信者を選択することができ、装置のユーザは、受信者を通知することができ、および／または、これらに類似した内容が実行されることができる。キャプチャ画像の表現は、キャプチャ画像に少なくとも部分的に対応した視覚情報を有することができる。少なくとも１つの例示的実施形態においては、受信者は、受信者装置である。例えば、装置のユーザは、キャプチャ画像の表現を受信するべき人物を通知することができるが、受信者は、その人物に属する、その人物によって利用されている、その人物によって所有されている、その人物の関連した、および／または、これらに類似した内容の別個の装置であることができる。
【００７３】
多くの状況においては、ユーザがキャプチャ画像を共有する際には、キャプチャ画像は、記述テキストによって伴われている。例えば、記述テキストは、キャプチャ画像と関連した様々な文脈情報を通知することができる。例えば、図４Ａのキャプチャ画像４００は、「摂氏３２度および晴天」という記述テキストキャプションにともなうことができる。このような状況においては、ユーザは、すべてのキャプチャ画像用の記述テキストキャプションを生成するのではなく、興味深く、および／または、適切なキャプチャ文脈情報を強調することを望む場合がある。このような状況においては、ユーザは、キャプチャ画像の変更されたバージョンが、ユーザに対して特にアピールしえる、受信者にとって特に適切でありえる、および／または、これらに類似した状態にありえるキャプチャ文脈情報を強調するように、受信者との間においてキャプチャ画像の変更されたバージョンを共有することを望むことができる。例えば、受信者にとって適切および／または興味深いものでありえる様々なキャプチャ文脈情報を強調する異なる画像が、キャプチャ画像に少なくとも部分的に基づいて生成されることができる。このような例においては、ユーザは、受信者画像が、固有のキャプチャ文脈情報を強調するように、受信者と関連した文脈情報とは異なるキャプチャ文脈情報を強調するように、および／または、これらに類似した内容を実行するように、キャプチャ画像に少なくとも部分的に基づいて受信者画像を生成することを望むことができる。
【００７４】
受信者用の興味深い受信者画像の生成を促進するように、識別された受信者と関連した文脈情報を決定することが望ましい。例えば、固有のキャプチャ文脈情報を強調する、受信者と関連した文脈情報とは異なるキャプチャ文脈情報を強調する、および／または、これらに類似した内容を実行する受信者画像の生成を促進するように、受信者と関連した文脈情報を決定することが望ましい。少なくとも１つの例示的実施形態においては、受信者と関連した文脈情報は、受信者文脈情報であり、受信者と関連したカテゴリカル文脈情報は、カテゴリカル受信者文脈情報である。このような例示的実施形態においては、受信者と関連した環境文脈情報は、環境受信者文脈情報であり、受信者と関連した活動文脈情報は、活動受信者文脈情報である。少なくとも１つの例示的実施形態においては、装置は、環境受信者文脈情報または活動受信者文脈情報を示す少なくとも１つのカテゴリカル受信者文脈情報を有する受信者文脈情報を決定している。このような例示的実施形態においては、受信者文脈情報は、受信者文脈情報の決定の時点において受信者および／または、受信者の装置と関連付けられた文脈情報である。少なくとも１つの例示的実施形態においては、受信者文脈情報の決定は、既定の受信者文脈情報を示す情報の受信を有する。例えば、既定の受信者文脈情報は、受信者文脈情報の決定および／または、既定の受信者文脈情報を示す情報の受信の前の時点において決定されることができる。
【００７５】
例えば、図３の例に示されているように、カテゴリカル文脈情報テーブル３１０は、受信者と関連したカテゴリカル文脈情報テーブルであることができる。例えば、カテゴリ３１２は、温度文脈情報であることができ、値３１３は、摂氏３１度を通知することができ、カテゴリ３１４は、天候文脈情報であることができ、値３１５は、暗く、曇った空を通知することができ、カテゴリ３１６は、混雑度文脈情報であることができ、値３１７は、受信者が、人々がまばらに存在している領域内に位置していることを通知することができる。少なくとも１つの例示的実施形態においては、受信者文脈情報の決定は、受信者文脈情報に対する要求の受信者への送信と、受信者文脈情報を示す情報の受信者からの受信と、を有する。
【００７６】
受信者文脈情報とは異なるキャプチャ文脈情報を更に強調しえる受信者画像の生成を促進するように、対応したカテゴリカル受信者文脈情報とは大幅に異なるカテゴリカル・キャプチャ文脈情報を強調すると共に、対応したカテゴリカル受信者文脈情報とは大幅に異なることに失敗しているカテゴリカル・キャプチャ文脈情報の強調を回避することが望ましい。少なくとも１つの例示的実施形態においては、装置は、カテゴリカル・キャプチャ文脈情報が、カテゴリカル文脈情報差閾値を超えて、カテゴリカル受信者文脈情報と異なっていると決定している。少なくとも１つの例示的実施形態においては、カテゴリカル文脈情報差閾値は、カテゴリカル・キャプチャ文脈情報と対応するカテゴリカル受信者文脈情報の間における差の値であり、これを超えた場合に、カテゴリカル文脈情報差閾値は充足される。このような例示的実施形態においては、装置は、キャプチャ画像に少なくとも部分的に基づいて受信者画像を生成することができる。例えば、受信者画像は、カテゴリカル・キャプチャ文脈情報が、カテゴリカル文脈情報差閾値を超えて、カテゴリカル受信者文脈情報と異なっているという決定に少なくとも部分的に基づいたカテゴリカル文脈情報差インジケータを有することができる。このような例においては、カテゴリカル文脈情報差インジケータは、関連したカテゴリカル・キャプチャ文脈情報、カテゴリカル文脈情報差閾値、および／または、これらに類似したものに少なくとも部分的に基づいたものであることができる。少なくとも１つの例示的実施形態においては、カテゴリカル文脈情報差インジケータは、カテゴリカル・キャプチャ文脈情報を示す受信者画像によって含まれている視覚情報である。
【００７７】
少なくとも１つの例示的実施形態においては、文脈情報は、天候文脈情報である。このような例示的実施形態においては、天候文脈情報と関連したカテゴリカル文脈情報差閾値は、天候キャプチャ文脈情報と天候受信者文脈情報の間における差の値であることができ、これを超えた場合に、受信者画像は、受信者画像が、天候キャプチャ文脈情報と関連したカテゴリカル文脈情報差インジケータを有するように、生成される。例えば、霧と軽度の雨の比較が、天候文脈情報と関連したカテゴリカル文脈情報差閾値を充足することに失敗する場合があり、晴天の空と雷雨の比較が、天候文脈情報と関連したカテゴリカル文脈情報差閾値を充足する場合がある。天候文脈情報と関連したカテゴリカル文脈情報差インジケータは、太陽、雲、稲妻、吹雪、雪片、晴れた夜空、虹、および／または、これらに類似したものを示す視覚情報を有することができる。従って、天候文脈情報差インジケータは、受信者画像によって含まれている視覚情報により、天候キャプチャ文脈情報を通知することができる。少なくとも１つの例示的実施形態においては、天候キャプチャ文脈情報は、対応するカテゴリカル文脈情報差インジケータに加えて、聴覚情報と関連付けられている。例えば、天候キャプチャ文脈情報と関連付けられた聴覚情報は、降雨、雷、鳥のさえずり、および／または、これらに類似したものを示す聴覚情報であることができる。
【００７８】
図４Ｂは、少なくとも１つの実施形態による受信者画像を示す図である。少なくとも１つの例示的実施形態においては、受信者画像４１０は、図４Ａのキャプチャ画像４００に少なくとも部分的に基づいて生成されたものである。例えば、受信者画像４１０は、カテゴリカル文脈情報差インジケータ４１２の追加の後の図４Ａのキャプチャ画像４００を表することができる。図４Ｂの例において観察されえるように、カテゴリカル文脈情報差インジケータ４１２は、太陽と、受信者画像４１０の全体にわたる放射するグロー効果と、を示す視覚情報を有している。少なくとも１つの例示的実施形態においては、図４Ａのキャプチャ画像４００は、図３のカテゴリカル文脈情報テーブル３００と関連付けられており、図４Ｂの受信者画像４１０は、図３のカテゴリカル文脈情報テーブル３１０と関連付けられている。このような例示的実施形態においては、図３のカテゴリ３０４は、天候キャプチャ文脈情報であることができ、これは、明るく、太陽が輝く空である図３の値３０５を通知している。このような例示的実施形態においては、図３のカテゴリ３１４は、天候受信者文脈情報であることができ、これは、暗く、嵐の空である図３の値３１５を通知している。このような例示的実施形態においては、受信者画像４１０は、図３の値３０５が、カテゴリカル文脈情報差閾値を超えて、図３の値３１５と異なっているという決定に少なくとも部分的に基づいたカテゴリカル文脈情報差インジケータ４１２を有することができる。少なくとも１つの例示的実施形態においては、カテゴリカル文脈情報差インジケータ４１２に対して付与される強調のレベルは、図３の値３０５と図３の値３１５の間における差の大きさに少なくとも部分的に基づいたものであることができる。従って、図３の値３０５と図３の値３１５の間における相対的に小さな差は、相対的に低いレベルの強調がカテゴリカル文脈情報差インジケータ４１２に対して付与されることを結果的にもたらすることができ、図３の値３０５と図３の値３１５の間における相対的に大きな差は、相対的に高いレベルの強調がカテゴリカル文脈情報差インジケータ４１２に対して付与されることを結果的にもたらすることができる。
【００７９】
図４Ｃは、少なくとも１つの例示的実施形態による受信者画像を示す図である。少なくとも１つの例示的実施形態においては、受信者画像４２０は、図４Ａのキャプチャ画像４００に少なくとも基づいて生成されたものである。例えば、受信者画４２０は、カテゴリカル文脈情報差インジケータ４２２の追加の後の図４Ａのキャプチャ画像４００を表することができる。図４Ｃの例において観察されえるように、カテゴリカル文脈情報差インジケータ４２２は、雲と、受信者画像４２０の半分にわたる放射する暗化効果と、を示す視覚情報を有する。少なくとも１つの例示的実施形態においては、図４Ａのキャプチャ画像４００は、図３のカテゴリカル文脈情報テーブル３００と関連付けられており、受信者画像４２０は、図３のカテゴリカル文脈情報テーブル３２０と関連付けられている。このような例示的実施形態においては、図３のカテゴリ３０４は、天候キャプチャ文脈情報であることができ、これは、暗く、嵐の雲によって覆われた状態である図３の値３０５を通知する。このような例示的実施形態においては、図３のカテゴリ３２４は、天候受信者文脈情報であることができ、これは、雲を伴う晴れである図３の値３２５を通知する。このような例示的実施形態においては、受信者画像４２０は、図３の値３０５が、カテゴリカル文脈情報差閾値を超えて、図３の値３２５と異なっているという決定に少なくとも部分的に基づいたカテゴリカル文脈情報差インジケータ４２２を有することができる。少なくとも１つの例示的実施形態においては、カテゴリカル文脈情報差インジケータ４２２に対して付与される強調のレベルは、図３の値３０５と図３の値３２５の間における差の大きさに少なくとも部分的に基づいたものであることができる。従って、図３の値３０５と図３の値３２５の間における相対的に小さな差は、相対的に低いレベルの強調がカテゴリカル文脈情報差インジケータ４２２に対して付与されることを結果的にもたらすることができ、図３の値３０５と図３の値３２５の間における相対的に大きな差は、相対的に高いレベルの強調がカテゴリカル文脈情報差インジケータ４２２に対して付与されることを結果的にもたらすることができる。従って、カテゴリカル文脈情報差インジケータ４２２に対して付与された強調のレベルが、図４Ｂのカテゴリカル文脈情報差インジケータ４１２に対して付与された強調のレベルを下回っていることは、図３の値３０５と図３の値３２５の間の差が、図３の値３０５と図３の値３１５の間の差を下回っていることを通知しえる。
【００８０】
少なくとも１つの例示的実施形態においては、文脈情報は、温度文脈情報である。このような例示的実施形態においては、温度文脈情報と関連したカテゴリカル文脈情報差閾値は、温度キャプチャ文脈情報と温度受信者文脈情報の間における差の値であることができ、これを超えた場合に、受信者画像は、受信者画像が、温度キャプチャ文脈情報と関連したカテゴリカル文脈情報差インジケータを有するように、生成される。例えば、摂氏３２度と摂氏３１度の比較が、温度文脈情報と関連したカテゴリカル文脈情報差閾値を充足することに失敗する場合があり、摂氏３２度と摂氏−８度の比較が、温度文脈情報と関連したカテゴリカル文脈情報差閾値を充足する場合がある。温度文脈情報と関連したカテゴリカル文脈情報差インジケータは、太陽、雪片、温かい赤色グロー、冷たい青色グロー、霜効果、火炎効果、および／または、これらに類似したものを示す視覚情報を有することができる。従って、温度文脈情報差インジケータは、受信者画像によって含まれている視覚情報により、温度キャプチャ文脈情報を通知することができる。少なくとも１つの例示的実施形態においては、温度キャプチャ文脈情報は、対応するカテゴリカル文脈情報差インジケータに加えて、聴覚情報と関連付けられている。例えば、温度キャプチャ文脈情報と関連付けられた聴覚情報は、ぱちぱち音を立てる火炎、活発に吹きすさぶ寒風、および／または、これらに類似したものを示す聴覚情報であることができる。
【００８１】
少なくとも１つの例示的実施形態においては、文脈情報は、社会文脈情報である。このような例示的実施形態においては、社会文脈情報と関連したカテゴリカル文脈情報差閾値は、社会キャプチャ文脈情報と社会受信者文脈情報の間における差の値であることができ、これを超えた場合に、受信者画像は、受信者画像が、社会キャプチャ文脈情報と関連したカテゴリカル文脈情報差インジケータを有するように、生成される。ソーシャル文脈情報と関連したカテゴリカル文脈情報差インジケータは、識別された人物を示し、受信者画像内における識別された人物を強調し、および／または、これに類似したことを実行する視覚情報を有することができる。従って、社会文脈情報差インジケータは、受信者画像によって含まれている視覚情報により、社会キャプチャ文脈情報を通知することができる。少なくとも１つの例示的実施形態においては、社会キャプチャ文脈情報は、対応するカテゴリカル文脈情報差インジケータに加えて、聴覚情報と関連付けられている。例えば、社会キャプチャ文脈情報と関連付けられた聴覚情報は、話している識別された人物、識別された人物と関連した歌、および／または、これらに類似したものを示す聴覚情報であることができる。
【００８２】
少なくとも１つの例示的実施形態においては、文脈情報は、混雑度文脈情報である。このような例示的実施形態においては、混雑度文脈情報と関連したカテゴリカル文脈情報差閾値は、混雑キャプチャ文脈情報と混雑受信者文脈情報の間における差の値であることができ、これを超えた場合に、受信者画像は、受信者画像が、混雑キャプチャ文脈情報と関連したカテゴリカル文脈情報差インジケータを有するように、生成される。例えば、非常に混雑した状態と極めて混雑した状態の間の差が、混雑度文脈情報と関連したカテゴリカル文脈情報差閾値を充足することに失敗する場合があり、多少混雑した状態と極めて混雑した状態の間の差が、混雑度文脈情報と関連したカテゴリカル文脈情報差閾値を充足する場合がある。混雑度文脈情報と関連したカテゴリカル文脈情報差インジケータは、大規模な群衆、群衆の重なり、転がり草、および／または、これらに類似したものを示す視覚情報を有することができる。従って、混雑度文脈情報差インジケータは、受信者画像によって含まれている視覚情報により、混雑キャプチャ文脈情報を通知することができる。少なくとも１つの例示的実施形態においては、混雑キャプチャ文脈情報は、対応するカテゴリカル文脈情報差インジケータに加えて、聴覚情報と関連付けられている。例えば、混雑キャプチャ文脈情報と関連付けられた聴覚情報は、囁き声、わめき声、および／または、これらに類似したものを示す聴覚情報であることができる。
【００８３】
図４Ｄは、少なくとも１つの例示的実施形態による受信者画像を示す図である。少なくとも１つの例示的実施形態においては、受信者画像４３０は、図４Ａのキャプチャ画像４００に少なくとも部分的に基づいて生成されたものである。例えば、受信者画像４３０は、カテゴリカル文脈情報差インジケータ４３２の追加の後の図４Ａのキャプチャ画像４００を表することができる。図４Ｄの例において観察されえるように、カテゴリカル文脈情報差インジケータ４３２は、受信者画像４３０の全体にわたる群衆の重なり効果を示す視覚情報を有することができる。少なくとも１つの例示的実施形態においては、図４Ａのキャプチャ画像４００は、図３のカテゴリカル文脈情報テーブル３００と関連付けられており、受信者画像４３０は、図３のカテゴリカル文脈情報テーブル３１０と関連付けられている。このような例示的実施形態においては、図３のカテゴリ３０６は、混雑キャプチャ文脈情報であることができ、これは、極めて混雑した環境である図３の値３０７を通知している。このような例示的実施形態においては、図３のカテゴリ３１６は、混雑受信者文脈情報であることができ、これは、混雑していない環境である図３の値３１７を通知している。このような例示的実施形態においては、受信者画像４３０は、図３の値３０７が、カテゴリカル文脈情報差閾値を超えて、図３の値３１７と異なっているという決定に少なくとも部分的に基づいたカテゴリカル文脈情報差インジケータ４３２を有することができる。少なくとも１つの例示的実施形態においては、カテゴリカル文脈情報差インジケータ４３２に対して付与される強調のレベルは、図３の値３０７と図３の値３１７の間の差の大きさに少なくとも部分的に基づいたものであることができる。従って、図３の値３０７と図３の値３１７の間の相対的に小さな差は、相対的に低いレベルの強調がカテゴリカル文脈情報差インジケータ４３２に対して付与されることを結果的にもたらすることができ、図３の値３０７と図３の値３１７の間の相対的に大きな差は、相対的に高いレベルの強調がカテゴリカル文脈情報差インジケータ４３２に対して付与されることを結果的にもたらすることができる。
【００８４】
少なくとも１つの例示的実施形態においては、文脈情報は、聴覚文脈情報である。このような例示的実施形態においては、聴覚文脈情報と関連したカテゴリカル文脈情報差閾値は、聴覚キャプチャ文脈情報と聴覚受信者文脈情報の間における差の値であることができ、これを超えた場合に、受信者画像は、受信者画像が、聴覚キャプチャ文脈情報と関連したカテゴリカル文脈情報差インジケータを有するように、生成される。例えば、軽いつぶやきと低い話し声の間の差が、聴覚文脈情報と関連したカテゴリカル文脈情報差閾値を充足することに失敗する場合があり、４２デシベルと７１デシベルの間の差が、聴覚文脈情報と関連したカテゴリカル文脈情報差閾値を充足する場合がある。聴覚文脈情報と関連付けられたカテゴリカル文脈情報差インジケータは、スピーカ、振動効果、音波効果、音符、および／または、これらに類似したものを示す視覚情報を有することができる。従って、聴覚文脈情報差インジケータは、受信者画像によって含まれている視覚情報により、聴覚キャプチャ文脈情報を通知することができる。少なくとも１つの例示的実施形態においては、聴覚キャプチャ文脈情報は、対応するカテゴリカル文脈情報差インジケータに加えて、聴覚情報と関連付けられている。例えば、聴覚キャプチャ文脈情報と関連付けられた聴覚情報は、聴覚文脈情報、低い囁き声、および／または、これらに類似したものを示す聴覚情報であることができる。
【００８５】
少なくとも１つの例示的実施形態においては、文脈情報は、時間文脈情報である。このような例示的実施形態においては、時間文脈情報と関連したカテゴリカル文脈情報差閾値は、時間キャプチャ文脈情報と時間受信者文脈情報の間における差の値であることができ、これを超えた場合に、受信者画像は、受信者画像が、時間キャプチャ文脈情報と関連したカテゴリカル文脈情報差インジケータを有するように、生成される。例えば、１３：４５と１４：１５の間の差が、時間文脈情報と関連したカテゴリカル文脈情報差閾値を充足することに失敗する場合があり、１２：３０と２２：３０の間の差が、時間文脈情報と関連したカテゴリカル文脈情報差閾値を充足する場合がある。時間文脈情報と関連付けられたカテゴリカル文脈情報差インジケータは、日の出、日の入り、暗い空、低い太陽、高い太陽、および／または、これらに類したものを示す視覚情報を有することができる。従って、時間文脈情報差インジケータは、受信者画像によって含まれている視覚情報により、時間キャプチャ文脈情報を通知することができる。少なくとも１つの例示的実施形態においては、時間キャプチャ文脈情報は、対応するカテゴリカル文脈情報差インジケータに加えて、聴覚情報と関連付けられている。例えば、時間キャプチャ文脈情報と関連付けられた聴覚情報は、さえずる鳥、鳴いている梟、および／または、これらに類似したものを示す聴覚情報であることができる。
【００８６】
少なくとも１つの例示的実施形態においては、文脈情報は、ムード文脈情報である。このような例示的実施形態においては、ムード文脈情報と関連したカテゴリカル文脈情報差閾値は、ムードキャプチャ文脈情報とムード受信者文脈情報の間における差の値であることができ、これを超えた場合に、受信者画像は、受信者画像が、ムードキャプチャ文脈情報と関連したカテゴリカル文脈情報差インジケータを有するように、生成される。例えば、興奮した状態と元気付けられた状態の間の差が、ムード文脈情報と関連したカテゴリカル文脈情報差閾値を充足することに失敗する場合があり、悲しい状態と幸せな状態の間の差が、ムード文脈情報と関連したカテゴリカル文脈情報差閾値を充足する場合がある。ムード文脈情報と関連付けられたカテゴリカル文脈情報差インジケータは、明るい太陽、雲、黄色いグロー効果、青いグロー効果、および／または、これらに類似したものを示す視覚情報を有することができる。従って、ムード文脈情報差インジケータは、受信者画像によって含まれている視覚情報により、ムードキャプチャ文脈情報を通知することができる。少なくとも１つの例示的実施形態においては、ムードキャプチャ文脈情報は、対応するカテゴリカル文脈情報差インジケータに加えて、聴覚情報と関連付けられている。例えば、ムードキャプチャ文脈情報と関連付けられた聴覚情報は、アップビート音楽、ダウンビート音楽、および／または、これらに類似したものを示す聴覚情報であることができる。
【００８７】
少なくとも１つの例示的実施形態においては、文脈情報は、場所文脈情報である。このような例示的実施形態においては、場所文脈情報と関連したカテゴリカル文脈情報差閾値は、場所キャプチャ文脈情報と場所受信者文脈情報の間における差の値であることができ、これを超えた場合に、受信者画像は、受信者画像が、場所キャプチャ文脈情報と関連したカテゴリカル文脈情報差インジケータを有するように、生成される。例えば、フランスのパリおよびフランスのニースの間の差が、場所文脈情報と関連したカテゴリカル文脈情報差閾値を充足することに失敗する場合があり、フランスのパリとカリブ海の間の差が、場所文脈情報と関連したカテゴリカル文脈情報差閾値を充足する場合がある。例えば、カテゴリカル文脈情報差閾値は、数キロメートルであることができ、これを超えた場合に、カテゴリカル文脈情報差閾値は、充足される。場所文脈情報と関連付けられたカテゴリカル文脈情報差インジケータは、地球の場所、場所キャプチャ文脈情報によって示されている場所と場所受信者文脈情報によって示されている場所の間の距離の表現、および／または、これらに類似したものを示す視覚情報を有することができる。従って、場所文脈情報差インジケータは、受信者画像によって含まれている視覚情報により、場所キャプチャ文脈情報を通知することができる。少なくとも１つの例示的実施形態においては、場所キャプチャ文脈情報は、対応するカテゴリカル文脈情報差インジケータに加えて、聴覚情報と関連付けられている。例えば、場所キャプチャ文脈情報と関連付けられた聴覚情報は、カリブ海音楽、フランス音楽、および／または、これらに類似したものを示す聴覚情報であることができる。
【００８８】
少なくとも１つの例示的実施形態においては、文脈情報は、高度文脈情報である。このような例示的実施形態においては、高度文脈情報と関連したカテゴリカル文脈情報差閾値は、高度キャプチャ文脈情報と高度受信者文脈情報の間における差の値であることができ、これを超えた場合に、受信者画像は、受信者画像が、高度キャプチャ文脈情報と関連したカテゴリカル文脈情報差インジケータを有するように、生成される。例えば、海面レベルと海面レベルの上方１０メートルの間の差が、高度文脈情報と関連したカテゴリカル文脈情報差閾値を充足することに失敗する場合があり、海面レベルと海面レベルの上方１３２３メートルの間の差が、高度文脈情報と関連したカテゴリカル文脈情報差閾値を充足する場合がある。高度文脈情報と関連付けられたカテゴリカル文脈情報差インジケータは、地球の場所、高度キャプチャ文脈情報によって示されている高度と高度受信者文脈情報によって示されている高度の間の高度差の表現、および／または、これらに類似したものを示す視覚情報を有することができる。従って、高度文脈情報差インジケータは、受信者画像によって含まれている視覚情報により、高度キャプチャ文脈情報を通知することができる。少なくとも１つの例示的実施形態においては、高度キャプチャ文脈情報は、対応するカテゴリカル文脈情報差インジケータに加えて、聴覚情報と関連付けられている。例えば、高度キャプチャ文脈情報と関連付けられた聴覚情報は、吠える波、ヒューヒューと音を立てる風、および／または、これらに類似したものを示す聴覚情報であることができる。
【００８９】
少なくとも１つの例示的実施形態においては、文脈情報は、速度文脈情報である。このような例示的実施形態においては、速度文脈情報と関連したカテゴリカル文脈情報差閾値は、速度キャプチャ文脈情報と速度受信者文脈情報の間における差の値であることができ、これを超えた場合に、受信者画像は、受信者画像が、速度キャプチャ文脈情報と関連したカテゴリカル文脈情報差インジケータを有するように、生成される。例えば、４キロメートル／時間と６キロメートル／時間の間の差が、速度文脈情報と関連したカテゴリカル文脈情報差閾値を充足することに失敗する場合があり、７キロメートル／時間と４３キロメートル／時間の間の差が、速度文脈情報と関連したカテゴリカル文脈情報差閾値を充足する場合がある。速度文脈情報と関連付けられたカテゴリカル文脈情報差インジケータは、自転車、飛行機、列車、ランニングシューズ、にじみ効果、および／または、これらに類似したものを示す視覚情報を有することができる。従って、速度文脈情報差インジケータは、受信者画像によって含まれている視覚情報により、速度キャプチャ文脈情報を通知することができる。少なくとも１つの例示的実施形態においては、速度キャプチャ文脈情報は、対応するカテゴリカル文脈情報差インジケータに加えて、聴覚情報と関連付けられている。例えば、速度キャプチャ文脈情報と関連付けられた聴覚情報は、吠えるエンジン、低速の歩行、元気な走行、および／または、これらに類似したものを示す聴覚情報であることができる。
【００９０】
少なくとも１つの例示的実施形態においては、文脈情報は、緊急度文脈情報である。このような例示的実施形態においては、緊急度文脈情報と関連したカテゴリカル文脈情報差閾値は、緊急度キャプチャ文脈情報と緊急度受信者文脈情報の間における差の値であることができ、これを超えた場合に、受信者画像は、受信者画像が、緊急度キャプチャ文脈情報と関連したカテゴリカル文脈情報差インジケータを有するように、生成される。例えば、完全に予約で埋まったスケジュールとほとんど予約で埋まったスケジュールの間の差が、緊急度文脈情報と関連したカテゴリカル文脈情報差閾値を充足することに失敗する場合があり、空のアポイントメントブックと完全に埋まったカレンダーブックの間の差が、緊急度文脈情報と関連したカテゴリカル文脈情報差閾値を充足する場合がある。緊急度文脈情報と関連付けられたカテゴリカル文脈情報差インジケータは、にじみ効果、脈打つ効果、紙の山、および／または、これらに類似したものを示す視覚情報を有することができる。従って、緊急度文脈情報差インジケータは、受信者画像によって含まれている視覚情報により、緊急度キャプチャ文脈情報を通知することができる。少なくとも１つの例示的実施形態においては、緊急度キャプチャ文脈情報は、対応するカテゴリカル文脈情報差インジケータに加えて、聴覚情報と関連付けられている。例えば、緊急度キャプチャ文脈情報と関連付けられた聴覚情報は、速いテンポの音楽、スローテンポの音楽、および／または、これらに類似したものを示す聴覚情報であることができる。
【００９１】
少なくとも１つの例示的実施形態においては、文脈情報は、行動文脈情報である。このような例示的実施形態においては、行動文脈情報と関連したカテゴリカル文脈情報差閾値は、行動キャプチャ文脈情報と行動受信者文脈情報の間における差の値であることができ、これを超えた場合に、受信者画像は、受信者画像が、行動キャプチャ文脈情報と関連したカテゴリカル文脈情報差インジケータを有するように、生成される。例えば、ジョギングとランニングの間の差が、行動文脈情報と関連したカテゴリカル文脈情報差閾値を充足することに失敗する場合があり、ウォーキングとサイクリングの間の差が、行動文脈情報と関連したカテゴリカル文脈情報差閾値を充足する場合がある。行動文脈情報と関連付けられたカテゴリカル文脈情報差インジケータは、ランニングシューズ、自転車、テニスラケット、自動車、および／または、これらに類似したものを示す視覚情報を有することができる。従って、行動文脈情報差インジケータは、受信者画像によって含まれている視覚情報により、行動キャプチャ文脈情報を通知することができる。少なくとも１つの例示的実施形態においては、行動キャプチャ文脈情報は、対応するカテゴリカル文脈情報差インジケータに加えて、聴覚情報と関連付けられている。例えば、行動キャプチャ文脈情報と関連付けられた聴覚情報は、警笛を鳴らす車両、喝采する群衆、および／または、これらに類似したものを示す聴覚情報であることができる。
【００９２】
いくつかの状況においては、受信者画像が、複数のカテゴリカル文脈情報差インジケータを示す視覚情報を有するように、受信者画像を生成することが望ましい。例えば、受信者画像は、カテゴリと関連したカテゴリカル文脈情報差インジケータを示す視覚情報と、別のカテゴリと関連した別のカテゴリカル文脈情報差インジケータを示す視覚情報と、を有することができる。
【００９３】
図４Ｅは、少なくとも１つの例示的実施形態による受信者画像を示す図である。少なくとも１つの例示的実施形態においては、受信者画像４４０は、図４Ａのキャプチャ画像４００に少なくとも部分的に基づいて生成されたものである。例えば、受信者画像４４０は、カテゴリカル文脈情報差インジケータ４４２および４４４の追加の後の図４Ａのキャプチャ画像４００を表することができる。図４Ｅの例において観察されえるように、カテゴリカル文脈情報差インジケータ４４２は、太陽と、受信者画像４４０の全体にわたるグロー効果と、を示す視覚的情報を有しており、カテゴリカル文脈情報差インジケータ４４４は、受信者画像４４０の全体にわたる群衆の重なり効果を示す視覚情報を有する。少なくとも１つの例示的実施形態においては、図４Ａのキャプチャ画像４００は、図３のカテゴリカル文脈情報テーブル３００と関連付けられており、受信者画像４４０は、図３のカテゴリカル文脈情報テーブル３１０と関連付けられている。このような例示的実施形態においては、図３のカテゴリ３０４は、天候キャプチャ文脈情報であることができ、これは、明るく、太陽が輝く空である図３の値３０５を通知する。このような例示的実施形態においては、図３のカテゴリ３１４は、天候受信者文脈情報であることができ、これは、暗く、嵐の空である図３の値３１５を通知する。このような例示的実施形態においては、受信者画像４１０は、図３の値３０５が、カテゴリカル文脈情報差閾値を超えて、図３の値３１５と異なっているという決定に少なくとも部分的に基づいたカテゴリカル文脈情報差インジケータ４１２を有することができる。このような例示的実施形態においては、図３のカテゴリ３０６は、混雑キャプチャ文脈情報であることができ、これは、極めて混雑した環境である図３の値３０７を通知する。このような例示的実施形態においては、図３のカテゴリ３１６は、混雑受信者文脈情報であることができ、これは、混雑していない環境である図３の値３１７を通知する。このような例示的実施形態においては、受信者画像４３０は、図３の値３０７が、カテゴリカル文脈情報差閾値を超えて、図３の値３１７と異なっているという決定に少なくとも部分的に基づいたカテゴリカル文脈情報差インジケータ４３２を有することができる。
【００９４】
いくつかの状況においては、装置は、カテゴリと関連したカテゴリカル・キャプチャ文脈情報が、カテゴリと関連したカテゴリカル文脈情報差閾値を超えて、カテゴリと関連したカテゴリカル受信者文脈情報と異なることに失敗していると決定する場合がある。このような状況においては、受信者画像内におけるカテゴリと関連したカテゴリカル文脈情報差インジケータを示す視覚情報の包含を回避することが望ましい。例えば、キャプチャ文脈情報は、カテゴリと関連したカテゴリカル・キャプチャ文脈情報と、別のカテゴリと関連した別のカテゴリカル・キャプチャ文脈情報と、を有することができ、受信者文脈情報は、カテゴリと関連したカテゴリカル受信者文脈情報と、その他のカテゴリと関連したその他のカテゴリカル受信者文脈情報と、を有することができる。このような例においては、その他のカテゴリは、カテゴリと異なることができる。このような例においては、装置は、その他のカテゴリカル・キャプチャ文脈情報が、その他のカテゴリと関連した別のカテゴリカル文脈情報差閾値を超えて、その他のカテゴリカル受信者文脈情報と異なることに失敗していると決定する場合がある。従って、このような例においては、受信者画像の生成は、受信者画像が、その他のカテゴリカル・キャプチャ文脈情報に少なくとも部分的に基づいた別のカテゴリカル文脈情報差インジケータを有することに失敗するように、実行されることができる。受信者画像がその他のカテゴリカル文脈情報差インジケータを有することに失敗するような受信者画像の生成は、その他のカテゴリカル・キャプチャ文脈情報が、その他のカテゴリと関連した別のカテゴリカル文脈情報差閾値を超えて、その他のカテゴリカル受信者文脈情報と異なることに失敗しているという決定に少なくとも部分的に基づいたものであることができる。
【００９５】
いくつかの状況においては、ユーザは、複数の受信者に受信者画像を送信することを望む場合がある。このような状況においては、受信者画像が、両方の受信者が興味深いと見出しえる、固有であると見出しえる、異なっていると見出しえる、および／または、これらに類似した状態であると見出しえるカテゴリカル文脈情報差インジケータを有することが望ましい。例えば、装置は、キャプチャ画像の表現を受信するべき受信者および別の受信者を識別することができる。このような例においては、装置は、環境受信者文脈情報または活動受信者文脈情報を示す少なくとも１つのカテゴリカル受信者文脈情報を有する受信者文脈情報を決定することができる。このような例においては、装置は、別の環境受信者文脈情報または別の活動受信者文脈情報を示す別のカテゴリカル受信者文脈情報と、異なる環境受信者文脈情報または異なる活動受信者文脈情報を示す異なるカテゴリカル受信者文脈情報と、を有する別の受信者文脈情報を決定することができる。このような例においては、その他のカテゴリカル受信者文脈情報は、カテゴリと関連付けられていることができ、異なるカテゴリカル受信者文脈情報は、異なるカテゴリと関連付けることができる。従って、受信者画像の生成は、異なるカテゴリカル受信者文脈情報に少なくとも部分的に基づいた異なるカテゴリカル文脈情報差インジケータを省略することができる。異なるカテゴリカル文脈情報差インジケータの省略は、カテゴリとは異なっている異なるカテゴリに少なくとも部分的に基づいたものであることができる。ただし、このような例においては、受信者画像は、その他のカテゴリカル受信者文脈情報と関連したカテゴリと同一であるカテゴリカル・キャプチャ文脈情報と関連したカテゴリに少なくとも部分的に基づいたカテゴリカル文脈情報差インジケータを示す視覚情報を有することができる。
【００９６】
いくつかの状況においては、ユーザは、容易で直観的な方式により、受信者画像を複数の受信者に送信することを望む場合がある。このような状況においては、基礎をなすキャプチャ画像を過度に曖昧にしえる過剰なカテゴリカル文脈情報差インジケータを回避することが望ましい。例えば、装置は、キャプチャ画像の表現を受信するべき３人の受信者を識別することができる。このような例においては、装置は、カテゴリカル受信者文脈情報と対応するカテゴリカル・キャプチャ文脈情報の間における最大差と関連したカテゴリカル受信者文脈情報を決定することができる。例えば、装置は、カテゴリカル・キャプチャ文脈情報と第１カテゴリカル受信者文脈情報の間の、カテゴリカル・キャプチャ文脈情報と第２カテゴリカル受信者文脈情報の間の、カテゴリカル・キャプチャ文脈情報と第３カテゴリカル受信者文脈情報の間の、差を決定することができる。このような例においては、カテゴリカル・キャプチャ文脈情報および３つのカテゴリカル受信者文脈情報は、同一のカテゴリと関連付けられていることができ、受信者画像は、カテゴリカル・キャプチャ文脈情報とカテゴリカル受信者文脈情報の間の最大差に少なくとも部分的に基づいて生成されることができる。別の例においては、３つのカテゴリカル受信者文脈情報は、カテゴリカル・キャプチャ文脈情報に対応した３つの異なるカテゴリと関連付けることができる。このような例においては、受信者画像は、カテゴリと関連したカテゴリカル・キャプチャ文脈情報とカテゴリと関連したカテゴリカル受信者文脈情報の間の最大差に少なくとも部分的に基づいて生成されることができる。例えば、最大差が天候文脈情報の間のものである場合には、受信者画像は、受信者画像が、天候文脈情報と関連したカテゴリカル文脈情報差インジケータを示す視覚情報を有するように、生成されることができる。別の例においては、最大差が混雑度文脈情報の間のものである場合には、受信者画像は、受信者画像が、混雑度文脈情報と関連したカテゴリカル文脈情報差インジケータを示す視覚情報を有するように、生成されることができる。
【００９７】
少なくとも１つの例示的実施形態においては、装置は、受信者への受信者画像の送信、別の受信者への受信者画像の送信、および／または、これらに類似したものを起動している。受信者への受信者画像の送信は、受信者画像の生成に少なくとも部分的に基づいたものであることができる。例えば、受信者への受信者画像の送信は、受信者画像の生成によって起動されることができる。少なくとも１つの例示的実施形態においては、装置は、受信者画像の表示を起動している。例えば、装置は、装置によって含まれているディスプレイ上において受信者画像を表示することができ、受信者画像を別個の装置に表示させることができ、および／または、これらに類似した内容を実行することができる。少なくとも１つの例示的実施形態においては、装置は、受信者画像受け入れ入力を示す情報を受信している。このような例示的実施形態においては、受信者への受信者画像の送信の起動は、受信者画像受け入れ入力に少なくとも部分的に基づいたものであることができる。少なくとも１つの例示的実施形態においては、装置は、受信者への聴覚情報の送信を起動している。聴覚情報は、カテゴリカル・キャプチャ文脈情報、カテゴリと関連したカテゴリカル文脈情報差インジケータ、および／または、これらに類似したものと関連付けることができる。このような例示的実施形態においては、装置は、カテゴリカル・キャプチャ文脈情報に少なくとも部分的に基づいて聴覚情報を識別することができる。
【００９８】
いくつかの状況においては、キャプチャ文脈情報および受信者文脈情報は、すべての対応するカテゴリカル文脈情報差閾値を超えて、互いに異なることに失敗している場合がある。例えば、キャプチャ画像と関連した文脈情報および受信者と関連した文脈情報は、これら２つの間の任意の差が、わずかである、関心外である、および／または、これらに類似した状態となるように、非常に類似したものであることができる。このような状況においては、受信者画像の生成を防止し、受信者画像の送信を防止し、および／または、これらに類似した内容を実行することが望ましい。少なくとも１つの例示的実施形態においては、装置は、カテゴリカル・キャプチャ文脈情報が、カテゴリカル文脈情報差閾値を超えて、カテゴリカル受信者文脈情報と異なることに失敗していると判断している。このような例示的実施形態においては、装置は、カテゴリカル・キャプチャ文脈情報が、その他のカテゴリカル文脈情報差閾値を超えて、その他のカテゴリカル受信者文脈情報と異なることに失敗しているという判断に少なくとも部分的に基づいて別の受信者画像の生成を防止することができる。このような例示的実施形態においては、装置は、カテゴリカル・キャプチャ文脈情報が、その他のカテゴリカル文脈情報差閾値を超えて、その他のカテゴリカル受信者文脈情報と異なることに失敗しているという判断に少なくとも部分的に基づいて受信者へのキャプチャ画像の送信の起動を防止することができる。ただし、このような状況においては、ユーザが、受信者画像の生成の防止および／または、受信者への受信者画像の送信の防止にもかかわらず、キャプチャ画像を受信者との間において共有することを望む場合がある。少なくとも１つの例示的実施形態においては、装置は、受信者へのキャプチャ画像の送信を起動している。
【００９９】
図５Ａおよび図５Ｂは、少なくとも１つの例示的実施形態によるカテゴリカル文脈情報差インジケータ調節入力を示す図である。図５Ａおよび図５Ｂの例は、例に過ぎず、請求項の範囲を限定しない。例えば、キャプチャ画像は、変化することができ、受信者画像は変化することができ、カテゴリカル文脈情報差インジケータ調節入力は変化することができ、および／または、これらに類似したものであることができる。
【０１００】
いくつかの状況においては、ユーザは、カテゴリカル受信者文脈情報とは異なるカテゴリカル・キャプチャ文脈情報に対して付与されえる強調のレベルを調節する能力を望む場合がある。例えば、ユーザは、カテゴリカル文脈情報差インジケータの強調を増大させることを望む場合があり、カテゴリカル文脈情報差インジケータの強調を減少させることを望む場合があり、別のカテゴリカル文脈情報差インジケータの強調を増大させることを望む場合があり、別のカテゴリカル文脈情報差インジケータの強調を減少させることを望む場合があり、および／または、これらに類似した内容を実行することを望む場合がある。少なくとも１つの例示的実施形態においては、装置は、受信者画像との関係においてカテゴリカル文脈情報差インジケータ調節インターフェイスの表示を起動している。少なくとも１つの例示的実施形態においては、装置は、カテゴリカル文脈情報差インジケータ調節入力を示す情報を受け取っている。このような例示的実施形態においては、受信者画像は、カテゴリカル文脈情報差インジケータ調節入力に少なくとも部分的に基づいたものであることができる。このような例示的実施形態においては、カテゴリカル文脈情報差インジケータ調節入力は、ディスプレイ上におけるカテゴリカル文脈情報差インジケータ調節インターフェイスの表示位置に少なくとも部分的に対応したディスプレイ上の位置に存在することができる。少なくとも１つの例示的実施形態においては、カテゴリカル文脈情報差インジケータ調節入力は、ディスプレイ上におけるカテゴリカル文脈情報差インジケータの表示位置に少なくとも部分的に対応したディスプレイ上の位置に存在している。このような例示的実施形態においては、カテゴリカル文脈情報差インジケータは、カテゴリカル文脈情報差インジケータ調節入力によって調節されているカテゴリカル文脈情報差インジケータである。
【０１０１】
図５Ａは、少なくとも１つの例示的実施形態によるカテゴリカル文脈情報差インジケータ調節入力を示す図である。図５Ａの例は、受信者画像５００を示している。受信者画像５００は、カテゴリカル文脈情報差インジケータ５０２を示す視覚情報を有する。図５Ａの例において観察されえるように、カテゴリカル文脈情報差インジケータ５０２は、太陽と、受信者画像５００の全体にわたる放射するグロー効果と、を示す視覚情報を有する。図５Ａの例においては、カテゴリカル文脈情報差インジケータ調節インターフェイス５０６が、受信者画像５００との関係において表示されている。カテゴリカル文脈情報差インジケータ調節インターフェイス５０６は、カテゴリカル文脈情報差インジケータ５０２と関連した強調の現在のレベルを示すことができる。図示のように、カテゴリカル文脈情報差インジケータ調節入力５０４が、カテゴリカル文脈情報差インジケータ５０２の位置に対応した位置に存在している。図５Ａの例においては、右から左へのスワイプ入力は、カテゴリカル文脈情報差インジケータ５０２に対して付与される強調のレベルを低減するように装置に指示することができ、左から右へのスワイプ入力は、カテゴリカル文脈情報差インジケータ５０２に対して付与される強調のレベルを増大させるように装置に指示することができる。図５Ａの例においては、カテゴリカル文脈情報差インジケータ調節入力５０４は、カテゴリカル文脈情報差インジケータ５０２にわたる右から左へのスワイプ入力である。
【０１０２】
図５Ｂは、少なくとも１つの実施形態による受信者画像を示す図である。図５Ｂの例は、図５Ａのカテゴリカル文脈情報差インジケータ調節入力５０４の受信の後の図５Ａに示されているシナリオを示しており、この入力は、図５Ａのカテゴリカル文脈情報差インジケータ５０２に対して付与される強調のレベルを装置が低減するという所望を通知する右から左へのスワイプ入力であった。図５Ｂの受信者画像５１０は、図５Ａの受信者画像５００に対応しており、図５Ｂのカテゴリカル文脈情報差インジケータ５１２は、図５Ａのカテゴリカル文脈情報差インジケータ５０２に対応している。図５Ｂの例において観察されえるように、カテゴリカル文脈情報差インジケータ５１２は、太陽と、受信者画像５１０のほぼ半分にわたる放射するグロー効果と、を示す視覚情報を有している。図５Ｂのカテゴリカル文脈情報差インジケータ５１２に対して付与される強調のレベルは、図５Ａのカテゴリカル文脈情報差インジケータ調節入力５０４の受信に少なくとも部分的に基づいて、図５Ａのカテゴリカル文脈情報差インジケータ５０２との比較において、低減されている。
【０１０３】
図６は、少なくとも１つの例示的実施形態による受信者への受信者画像の送信の起動と関連した活動を示す流れ図である。少なくとも１つの例示的実施形態においては、図６の活動に対応した動作の組が存在している。例えば、図１の電子装置１などの装置またはその一部分は、動作の組を利用することができる。装置は、このような動作の実行のために、例えば、図１のプロセッサ１１を含む手段を有することができる。例示的実施形態においては、図１の電子装置１０などの装置は、例えば、図１のプロセッサ１１などのプロセッサと協働して、図６の動作の組を装置に実行させるように構成されたコンピュータコードを有する、例えば、図１のメモリ１２などのメモリを有することにより、適合されている。
【０１０４】
ブロック６０２において、装置は、カメラ・モジュールからのキャプチャ画像を示す情報を受信している。受信、キャプチャ画像、およびカメラ・モジュールは、図４Ａないし図４Ｅとの関連において説明したものに類似したものであることができる。
【０１０５】
ブロック６０４において、装置は、キャプチャ文脈情報を決定している。キャプチャ文脈情報は、キャプチャ画像の受信の時点における環境キャプチャ文脈情報またはキャプチャ画像の受信の時点における活動キャプチャ文脈情報を示す少なくとも１つのカテゴリカル・キャプチャ文脈情報を有する。決定、キャプチャ文脈情報、カテゴリカル・キャプチャ文脈情報、環境キャプチャ文脈情報、活動キャプチャ文脈情報、およびキャプチャ画像の受信の時点は、図３および図４Ａないし図４Ｅとの関連において説明したものと類似したものであることができる。
【０１０６】
ブロック６０６においては、装置は、キャプチャ画像の表現を受信するべき受信者を識別している。識別、受信者、およびキャプチャ画像の表現は、図２、図３、図４Ａないし図４Ｅ、および図５Ａおよび図５Ｂとの関連において説明したものに類似したものであることができる。
【０１０７】
ブロック６０８において、装置は、受信者文脈情報を決定している。受信者文脈情報は、環境受信者文脈情報または活動受信者文脈情報を示す少なくとも１つのカテゴリカル受信者文脈情報を有する。決定、受信者文脈情報、カテゴリカル受信者文脈情報、環境受信者文脈情報、および活動受信者文脈情報は、図３および図４Ａないし図４Ｅとの関連において説明したものに類似したものであることができる。
【０１０８】
ブロック６１０において、装置は、カテゴリカル・キャプチャ文脈情報が、カテゴリカル文脈情報差閾値を超えて、カテゴリカル受信者文脈情報と異なっていると判断している。判断およびカテゴリカル文脈情報差閾値は、図３および図４Ａないし図４Ｅとの関連において説明したものに類似したものであることができる。
【０１０９】
ブロック６１２において、装置は、キャプチャ画像に少なくとも部分的に基づいて受信者画像を生成している。受信者画像は、受信者画像が、カテゴリカル・キャプチャ文脈情報に少なくとも部分的に基づいたカテゴリカル文脈情報差インジケータを有するように、生成される。生成、受信者画像、およびカテゴリカル文脈情報差インジケータは、図３、図４Ａないし図４Ｅ、および図５Ａおよび図５Ｂとの関連において説明したものに類似したものであってよい。
【０１１０】
ブロック６１４において、装置は、受信者への受信者画像の送信を起動している。起動および受信者への受信者画像の送信は、図２、図３、図４Ａないし図４Ｅ、および図５Ａおよび図５Ｂとの関連において説明したものに類似したものであることができる。
【０１１１】
図７は、少なくとも１つの例示的実施形態による受信者への受信者画像の送信の起動と関連した活動を示す流れ図である。少なくとも１つの例示的実施形態においては、図７の活動に対応した動作の組が存在している。例えば、図１の電子装置１０などの装置またはその一部分は、動作の組を利用することができる。装置は、このような動作の実行のために、例えば、図１のプロセッサ１１を含む手段を有することができる。例示的実施形態においては、例えば、図１の電子装置１０などの装置は、例えば、図１のプロセッサ１１などのプロセッサと協働して、図７の動作の組を装置に実行させるように構成されたコンピュータコードを有する、例えば、図１のメモリ１２などのメモリを有することにより、適合されている。
【０１１２】
上述のように、多くの状況においては、キャプチャ画像は、複数のカテゴリと関連したキャプチャ文脈情報と関連付けられていることができ、受信者は、複数のカテゴリと関連した受信者文脈情報と関連付けることができる。このような状況においては、受信者画像が、カテゴリカル・キャプチャ文脈情報が個々のカテゴリと関連したカテゴリカル文脈情報差閾値を超えてカテゴリカル受信者文脈情報と異なっているカテゴリ用のカテゴリカル文脈情報差インジケータを有するように、受信者画像を生成することが望ましい。
【０１１３】
ブロック７０２において、装置は、カメラ・モジュールからのキャプチャ画像を示す情報を受信している。受信、キャプチャ画像、およびカメラ・モジュールは、図４Ａないし図４Ｅとの関連において記述したものに類似したものであってよい。
【０１１４】
ブロック７０４において、装置は、キャプチャ文脈情報を決定している。キャプチャ文脈情報は、カテゴリと関連したカテゴリカル・キャプチャ文脈情報と、別のカテゴリと関連した別のカテゴリカル・キャプチャ文脈情報と、を少なくとも有する。決定、キャプチャ文脈情報、カテゴリカル・キャプチャ文脈情報、カテゴリ、その他のカテゴリキャプチャ文脈情報、およびその他のカテゴリは、図３および図４Ａないし図４Ｅとの関連において説明したものに類似したものであることができる。
【０１１５】
ブロック７０６において、装置は、キャプチャ画像の表現を受信するべき受信者を識別している。識別、受信者、およびキャプチャ画像の表現は、図２、図３、図４Ａないし図４Ｅ、および図５Ａおよび図５Ｂとの関連において説明したものに類似したものであることができる。
【０１１６】
ブロック７０８において、装置は、受信者文脈情報を決定している。受信者文脈情報は、カテゴリと関連したカテゴリカル受信者文脈情報と、その他のカテゴリと関連した別のカテゴリカル受信者文脈情報と、を少なくとも有する。決定、受信者文脈情報、カテゴリカル受信者文脈情報、およびその他のカテゴリカル受信者文脈情報は、図３および図４Ａないし図４Ｅとの関連において説明したものと類似したものであることができる。
【０１１７】
ブロック７１０において、装置は、カテゴリカル・キャプチャ文脈情報が、カテゴリと関連したカテゴリカル文脈情報差閾値を超えて、カテゴリカル受信者文脈情報と異なっていると決定している。決定およびカテゴリカル文脈情報差閾値は、図３および図４Ａないし図４Ｅとの関連において説明したものに類似したものであることができる。
【０１１８】
ブロック７１２において、装置は、その他のカテゴリキャプチャ文脈情報が、その他のカテゴリと関連した別のカテゴリ文脈情報差閾値を超えて、その他のカテゴリ受信者文脈情報と異なることに失敗していると判断している。判断およびその他のカテゴリカル文脈情報差閾値は、図３および図４Ａないし図４Ｅとの関連において説明したものに類似したものであることができる。
【０１１９】
ブロック７１４において、装置は、キャプチャ画像に少なくとも部分的に基づいて受信者画像を生成している。受信者画像は、受信者画像が、カテゴリカル・キャプチャ文脈情報に少なくとも部分的に基づいたカテゴリカル文脈情報差インジケータを有し、その他のカテゴリカル・キャプチャ文脈情報に少なくとも部分的に基づいた別のカテゴリカル文脈情報差インジケータを有することに失敗するように、生成される。生成、受信者画像、カテゴリカル文脈情報差インジケータ、およびその他のカテゴリカル文脈情報差インジケータは、図３、図４Ａないし図４Ｅ、および図５Ａおよび図５Ｂとの関連において説明したものに類似したものであることができる。
【０１２０】
ブロック７１６において、装置は、受信者への受信者画像の送信を起動している。起動および受信者への受信者画像の送信は、図２、図３、図４Ａないし図４Ｅ、および図５Ａおよび図５Ｂとの関連において説明したものに類似したものであることができる。
【０１２１】
図８は、少なくとも１つの例示的実施形態による受信者への受信者画像の送信の起動と関連した活動を示す流れ図である。少なくとも１つの例示的実施形態においては、図８の活動に対応した動作の組が存在している。例えば、図１の電子装置１０などの装置またはその一部分は、動作の組を利用することができる。装置は、このような動作の実行のために、例えば、図１のプロセッサ１１を含む手段を有することができる。例示的実施形態においては、例えば、図１の電子装置１０などの装置は、例えば、図１のプロセッサ１１などのプロセッサと協働して、図８の動作の組を装置に実行させるように構成されたコンピュータコードを有する、例えば、図１のメモリ１２などのメモリを有することにより、適合されている。
【０１２２】
上述のように、いくつかの状況においては、キャプチャ画像および受信者と関連付けられたカテゴリカル文脈情報は類似している。例えば、カテゴリカル・キャプチャ文脈情報は、関連したカテゴリカル文脈情報差閾値を超えて、カテゴリカル受信者文脈情報と異なることに失敗している場合がある。このような状況においては、ユーザは、キャプチャ画像に基づいた受信者画像の生成および／または、送信を回避することを望む場合がある。例えば、ユーザは、キャプチャ画像および受信者と関連付けられたカテゴリカル文脈情報が、類似している、カテゴリカル文脈情報差閾値を超えて異なることに失敗している、および／または、これらに類した状態にある状況において、受信者画像の生成および／または、送信を回避することを望む場合がある。このような状況においては、ユーザは、代わりに、キャプチャ画像を受信者に送信することを望むことができる。
【０１２３】
ブロック８０２において、装置は、カメラ・モジュールからのキャプチャ画像を示す情報を受信している。受信、キャプチャ画像、およびカメラ・モジュールは、図４Ａないし図４Ｅとの関連において説明したものに類似したものであることができる。
【０１２４】
ブロック８０４において、装置は、キャプチャ文脈情報を決定している。キャプチャ文脈情報は、キャプチャ画像の受信の時点における環境キャプチャ文脈情報またはキャプチャ画像の受信の時点における活動キャプチャ文脈情報を示す少なくとも１つのカテゴリカル・キャプチャ文脈情報を有する。決定、キャプチャ文脈情報、カテゴリカル・キャプチャ文脈情報、環境キャプチャ文脈情報、活動キャプチャ文脈情報、およびキャプチャ画像の受信の時点は、図３および図４Ａないし図４Ｅとの関連において説明したものに類似したものであることができる。
【０１２５】
ブロック８０６において、装置は、キャプチャ画像の表現を受信するべき受信者を識別している。識別、受信者、およびキャプチャ画像の表現は、図２、図３、図４Ａないし図４Ｅ、および図５Ａおよび図５Ｂとの関連において説明したものに類似したものであることができる。
【０１２６】
ブック８０８において、装置は、受信者文脈情報を決定している。受信者文脈情報は、環境受信者文脈情報または活動受信者文脈情報を示す少なくとも１つのカテゴリカル受信者文脈情報を有する。決定、受信者文脈情報、カテゴリカル受信者文脈情報、環境受信者文脈情報、および活動受信者文脈情報は、図３および図４Ａないし図４Ｅとの関連において説明したものに類似したものであることができる。
【０１２７】
ブロック８１０において、装置は、カテゴリカル・キャプチャ文脈情報が、カテゴリカル文脈情報差閾値を超えて、カテゴリカル受信者文脈情報と異なっているかどうかを判断している。カテゴリカル・キャプチャ文脈情報が、カテゴリカル文脈情報差閾値を超えて、カテゴリカル受信者文脈情報と異なっている場合には、フローは、ブロック８１４に進む。カテゴリカル・キャプチャ文脈情報が、カテゴリカル文脈情報差閾値を超えて、カテゴリカル受信者文脈情報と異なることに失敗している場合には、フローは、ブロック８１２に進む。判断およびカテゴリカル文脈情報差閾値は、図３および図４Ａないし図４Ｅとの関連において説明したものに類似したものであることができる。
【０１２８】
ブロック８１２において、装置は、受信者へのキャプチャ画像の送信を起動している。この結果、受信者へのキャプチャ画像の送信の起動は、カテゴリカル・キャプチャ文脈情報が、カテゴリカル文脈情報差閾値を超えて、カテゴリカル受信者分約的情報と異なることに失敗しているという判断に少なくとも部分的に基づいたものであることができる。起動および受信者へのキャプチャ画像の送信は、図２、図３、図４Ａないし図４Ｅ、および図５Ａおよび図５Ｂとの関連において説明したものに類似したものであることができる。
【０１２９】
ブロック８１４において、装置は、キャプチャ画像に少なくとも部分的に基づいて受信者画像を生成している。受信者画像は、受信者画像が、カテゴリカル・キャプチャ文脈情報に少なくとも部分的に基づいたカテゴリカル文脈情報差インジケータを有するように、生成される。この結果、受信者画像の生成は、カテゴリカル・キャプチャ文脈情報が、カテゴリカル文脈情報差閾値を超えて、カテゴリカル受信者文脈情報と異なっているという判断に少なくとも部分的に基づいたものであることができる。生成、受信者画像、およびカテゴリカル文脈情報差インジケータは、図３、図４Ａないし図４Ｅ、および図５Ａおよび図５Ｂとの関連において説明したものに類似したものであることができる。
【０１３０】
ブロック８１６において、装置は、受信者への受信者画像の送信を起動している。起動および受信者への受信者画像の送信は、図２、図３、図４Ａないし図４Ｅ、および図５Ａおよび図５Ｂとの関連において説明したものに類似したものであることができる。
【０１３１】
図９は、少なくとも１つの例示的実施形態による受信者への受信者画像の送信の起動と関連した活動を示す流れ図である。少なくとも１つの例示的実施形態においては、図９の活動に対応した動作の組が存在している。例えば、図１の電子装置１０などの装置またはその一部分は、動作の組を利用することができる。装置は、このような動作を実行するように、例えば、図１のプロセッサ１１を含む手段を有することができる。例示的実施形態においては、例えば、図１の電子装置１０などの装置は、例えば、図１のプロセッサ１１などのプロセッサと協働して、図９の動作の組を装置に実行させるように構成されたコンピュータコードを有する、例えば、図１のメモリ１２などのメモリを有することにより、適合されている。
【０１３２】
上述のように、いくつかの状況においては、ユーザは、受信者画像を生成すると共に複数の受信者に受信者画像を送信することを望む場合がある。例えば、ユーザは、受信者画像を生成し、２人の受信者に受信者画像を送信することを望む場合がある。このような例においては、ユーザは、生成された受信者画像が、２人の受信者に共通するカテゴリと関連付けられたカテゴリカル文脈情報差インジケータを有すると共に、２人の受信者に共通してはいないカテゴリと関連付けられたカテゴリカル文脈情報差インジケータを省略することを望む場合がある。
【０１３３】
ブロック９０２において、装置は、カメラ・モジュールからのキャプチャ画像を示す情報を受信している。受信、キャプチャ画像、およびカメラ・モジュールは、図４Ａないし図４Ｅとの関連において説明したものに類似したものであることができる。
【０１３４】
ブロック９０４において、装置は、キャプチャ文脈情報を決定している。キャプチャ文脈情報は、キャプチャ画像の受信の時点における環境キャプチャ文脈情報またはキャプチャ画像の受信の時点における活動キャプチャ文脈情報を示す少なくとも１つのカテゴリカル・キャプチャ文脈情報を有する。少なくとも１つの例示的実施形態においては、カテゴリカル・キャプチャ文脈情報は、カテゴリと関連付けられている。決定、キャプチャ文脈情報、カテゴリカル・キャプチャ文脈情報、環境キャプチャ文脈情報、活動キャプチャ文脈情報、キャプチャ画像の受信の時点、およびカテゴリは、図３および図４Ａないし図４Ｅとの関連において説明したものに類似したものであることができる。
【０１３５】
ブロック９０６において、装置は、キャプチャ画像の表現を受信するべき受信者を識別している。識別、受信者、およびキャプチャ画像の表現は、図２、図３、図４Ａないし図４Ｅ、および図５Ａおよび図５Ｂとの関連において説明したものに類似したものであることができる。
【０１３６】
ブロック９０８において、装置は、受信者文脈情報を決定している。受信者文脈情報は、環境受信者文脈情報または活動受信者文脈的情報を示す少なくとも１つのカテゴリカル受信者文脈情報を有する。少なくとも１つの例示的実施形態においては、カテゴリカル受信者文脈情報は、カテゴリと関連付けられている。決定、受信者文脈情報、カテゴリカル受信者文脈情報、環境受信者文脈情報、および活動受信者文脈情報は、図３および図４Ａないし図４Ｅとの関連において説明したものに類似したものであることができる。
【０１３７】
ブロック９１０において、装置は、キャプチャ画像の表現を受信するべき別の受信者を識別している。識別、その他の受信者、およびキャプチャ画像の表現は、図２、図３、図４Ａないし図４Ｅ、および図５Ａおよび図５Ｂとの関連において説明したものに類似したものであることができる。
【０１３８】
ブロック９１２において、装置は、別の受信者文脈情報を決定している。その他の受信者文脈情報は、別の環境受信者文脈情報または別の活動受信者文脈情報を示す別のカテゴリカル受信者文脈情報と、異なる環境受信者文脈情報または異なる活動受信者文脈情報を示す異なるカテゴリカル受信者文脈情報と、を有する。少なくとも１つの例示的実施形態においては、その他のカテゴリカル受信者文脈情報は、カテゴリと関連付けられており、異なるカテゴリカル受信者文脈情報は、異なるカテゴリと関連付けられている。決定、その他の受信者文脈情報、その他のカテゴリカル受信者文脈情報、その他の環境受信者文脈情報、その他の活動受信者文脈情報、異なるカテゴリカル受信者文脈情報、異なる環境受信者文脈情報、異なる活動受信者文脈情報、および異なるカテゴリは、図３および図４Ａないし図４Ｅとの関連において説明したものに類似したものであることができる。
【０１３９】
ブロック９１４において、装置は、カテゴリカル・キャプチャ文脈情報が、カテゴリカル文脈情報差閾値を超えて、カテゴリカル受信者文脈情報と異なっていると判断している。判断およびカテゴリカル文脈情報差閾値は、図３および図４Ａないし図４Ｅとの関連において説明したものに類似したものであることができる。
【０１４０】
ブロック９１６において、装置は、キャプチャ画像に少なくとも部分的に基づいて受信者画像を生成している。受信者画像は、受信者画像が、カテゴリカル・キャプチャ文脈情報に少なくとも部分的に基づいたカテゴリカル文脈情報差インジケータを有すると共に、異なるカテゴリカル・キャプチャ文脈情報に少なくとも部分的に基づいた異なるカテゴリカル文脈情報差インジケータを省略するように、生成される。異なるカテゴリカル文脈情報差インジケータの省略は、カテゴリとは異なっている異なるカテゴリに少なくとも部分的に基づいている。生成、受信者画像、カテゴリカル文脈情報差インジケータ、および異なるカテゴリカル文脈情報差インジケータは、図３、図４Ａないし図４Ｅ、および図５Ａおよび図５Ｂとの関連において説明したものに類似したものであることができる。
【０１４１】
ブロック９１８において、装置は、受信者への受信者画像の送信を起動している。起動および受信者への受信者画像の送信は、図２、図３、図４Ａないし図４Ｅ、および図５Ａおよび図５Ｂとの関連において説明したものに類似したものであることができる。
【０１４２】
ブロック９２０において、装置は、その他の受信者への受信者画像の送信を起動している。起動およびその他の受信者への受信者画像の送信は、図２、図３、図４Ａないし図４Ｅ、および図５Ａおよび図５Ｂとの関連において説明したものに類似したものであることができる。
【０１４３】
図１０は、少なくとも１つの例示的実施形態による受信者への受信者画像の送信の起動と関連した活動を示す流れ図である。少なくとも１つの例示的実施形態においては、図１０の活動に対応した動作の組が存在している。例えば、図１の電子装置１０などの装置またはその一部分は、動作の組を利用することができる。装置は、このような動作の実行のために、例えば、図１のプロセッサ１１を含む手段を有することができる。例示的実施形態においては、例えば、図１の電子装置１０などの装置は、例えば、図１のプロセッサ１１などのプロセッサと協働して、図１０の動作の組を装置に実行させるように構成されたコンピュータコードを有する、例えば、図１のメモリ１２などのメモリを有することにより、適合されている。
【０１４４】
いくつかの状況においては、ユーザは、画像をキャプチャし、その後に、キャプチャされた画像を閲覧することを望む場合がある。このような状況においては、ユーザは、キャプチャ画像、キャプチャ画像のキャプチャの時点におけるキャプチャ文脈情報と受信者画像の閲覧の時点と関連した文脈情報の間の任意の差を強調表示した受信者画像、および／または、これらに類似したものを閲覧することを望む場合がある。少なくとも１つの例示的実施形態においては、装置は、カメラ・モジュールからのキャプチャ画像を示す情報を受信している。カメラ・モジュールは、装置により、別個の装置により、および／または、これらに類似したものにより、含まれることができる。このような例示的実施形態においては、装置は、キャプチャ画像の受信の時点における環境キャプチャ文脈情報またはキャプチャ画像の受信の時点における活動キャプチャ文脈情報を示す少なくとも１つのカテゴリカル・キャプチャ文脈情報を有するキャプチャ文脈情報を決定することができる。
【０１４５】
このような例示的実施形態においては、装置のユーザは、キャプチャ画像の表現を閲覧することを後から望む場合がある。従って、装置は、キャプチャ画像を識別するキャプチャ画像表示入力を示す情報を受信することができる。キャプチャ画像表示入力は、ディスプレイ上においてキャプチャ画像の表現を表示するためのユーザの所望を通知することができる。装置は、キャプチャ画像表示入力の受信の時点における環境受信者文脈情報またはキャプチャ画像表示入力の受信の時点における活動受信者文脈情報を示す少なくとも１つのカテゴリカル受信者文脈情報を有する受信者文脈情報を決定することができる。従って、受信者文脈情報は、キャプチャ画像表示入力の受信の時点における装置の文脈を示している。このような例示的実施形態においては、装置は、カテゴリカル・キャプチャ文脈情報が、カテゴリカル文脈情報差閾値を超えて、カテゴリカル受信者文脈情報と異なっていると決定することができ、キャプチャ画像に少なくとも部分的に基づいて受信者画像を生成することができる。受信者画像は、受信者画像が、カテゴリカル・キャプチャ文脈情報に少なくとも部分的に基づいたカテゴリカル文脈情報差インジケータを有するように、生成されることができる。この結果、受信者画像は、キャプチャ画像のキャプチャの時点における文脈情報とキャプチャ画像表示入力の受信の時点における文脈情報の間の差を強調することができる。このような例示的実施形態においては、装置は、受信者画像の表示を起動することができる。例えば、装置は、装置によって含まれているディスプレイ上において受信者画像を表示することができ、別個の装置上における受信者画像の表示を起動することができ、および／または、これらに類似した内容を実行することができる。少なくとも１つの例示的実施形態においては、カメラ・モジュールは、装置によって含まれており、受信者画像の表示の起動は、装置による受信者画像の表示を有する。
【０１４６】
ブロック１００２において、装置は、カメラ・モジュールからのキャプチャ画像を示す情報を受信している。受信、キャプチャ画像、およびカメラ・モジュールは、図４Ａないし図４Ｅとの関連において説明したものに類似したものであることができる。
【０１４７】
ブロック１００４において、装置は、キャプチャ文脈情報を決定している。キャプチャ文脈情報は、キャプチャ画像の受信の時点における環境キャプチャ文脈情報またはキャプチャ画像の受信の時点における活動キャプチャ文脈情報を示す少なくとも１つのカテゴリカル・キャプチャ文脈情報を有する。決定、キャプチャ文脈情報、カテゴリカル・キャプチャ文脈情報、環境キャプチャ文脈情報、活動キャプチャ文脈情報、およびキャプチャ画像の受信の時点は、図３および図４Ａないし図４Ｅとの関連において説明したものに類似したものであることができる。
【０１４８】
ブロック１００６において、装置は、キャプチャ画像を識別するキャプチャ画像表示入力を示す情報を受信している。
【０１４９】
ブロック１００８において、装置は、受信者文脈情報を決定している。受信者文脈情報は、キャプチャ画像表示入力の受信の時点における環境受信者文脈情報またはキャプチャ画像表示入力の受信の時点における活動受信者文脈情報を示す少なくとも１つのカテゴリカル受信者文脈情報を有する。決定、受信者文脈情報、カテゴリカル受信者文脈情報、環境受信者文脈情報、および活動受信者文脈情報は、図３および図４Ａないし図４Ｅとの関連において説明したものに類似したものであることができる。
【０１５０】
ブロック１０１０において、装置は、カテゴリカル・キャプチャ文脈情報が、カテゴリカル文脈情報差閾値を超えて、カテゴリカル受信者文脈情報と異なっていると決定している。決定およびカテゴリカル文脈情報差閾値は、図３および図４Ａないし図４Ｅとの関連において説明したものに類似したものであることができる。
【０１５１】
ブロック１０１２において、装置は、キャプチャ画像に少なくとも部分的に基づいて受信者画像を生成している。受信者画像は、受信者画像が、カテゴリカル・キャプチャ文脈情報に少なくとも部分的に基づいたカテゴリカル文脈情報差インジケータを有するように、生成される。生成、受信者画像、およびカテゴリカル文脈情報差インジケータは、図３、図４Ａないし図４Ｅ、および図５Ａおよび図５Ｂとの関連において説明したものと類似したものであることができる。
【０１５２】
ブロック１０１４において、装置は、受信者画像の表示を起動している。起動および受信者画像の表示は、図２、図３、図４Ａないし図４Ｅ、および図５Ａおよび図５Ｂとの関連において説明したものと類似したものであることができる。
【０１５３】
本願発明の実施形態は、ソフトウェア、ハードウェア、アプリケーション・ロジック、あるいは、ソフトウェア、ハードウェア、およびアプリケーション・ロジックの組合せにおいて実装されることができる。ソフトウェア、アプリケーション・ロジック、および／または、ハードウェアは、装置、別個の装置、または複数の別個の装置上において存在することができる。必要に応じて、ソフトウェア、アプリケーション・ロジック、および／または、ハードウェアの一部分は、装置上において存在することができ、ソフトウェア、アプリケーション・ロジック、および／または、ハードウェアの一部分は、別個の装置上において存在することができ、ソフトウェア、アプリケーション・ロジック、および／または、ハードウェアの一部分は、複数の別個の装置上において存在することができる。例示的実施形態においては、アプリケーション・ロジック、ソフトウェア、または命令セットは、様々な従来のコンピュータ可読媒体のうちの任意のものの上において維持されている。
【０１５４】
望むならば、本願明細書において記述されている様々な機能は、異なる順序において、および／または、互いに同時に、実行することができる。例えば、図６のブロック６０６は、図６のブロック６０８の後に、実行することができる。更には、必要に応じて、上述の機能のうちの１つまたは複数は、任意選択であることができ、あるいは、組み合わせることができる。例えば、図９のブロック９１０は、任意選択であることができ、および／または、図９のブロック９０６と組み合わせることができる。
【０１５５】
本願発明の様々な態様は、独立請求項において記述されているが、本願発明のその他の態様は、請求項において明示的に記述されている組合せだけでなく、独立請求項の特徴との間における記述されている実施形態および／または、従属請求項からの特徴のその他の組合せをも有する。
【０１５６】
また、以上においては、本願発明の例示的実施形態について記述しているが、これらの説明は、限定の意味において解釈されてはならないことにも留意されたい。むしろ、添付の請求項において定義されている本願発明の範囲を逸脱することなしに実施されえる変形および変化が存在している。
【図１】
0006339686.tif 000002
【図２】
0006339686.tif 000003
【図３】
0006339686.tif 000004
【図４Ａ】
0006339686.tif 000005
【図４Ｂ】
0006339686.tif 000006
【図４Ｃ】
0006339686.tif 000007
【図４Ｄ】
0006339686.tif 000008
【図４Ｅ】
0006339686.tif 000009
【図５Ａ】
0006339686.tif 000010
【図５Ｂ】
0006339686.tif 000011
【図６】
0006339686.tif 000012
【図７】
0006339686.tif 000013
【図８】
0006339686.tif 000014
【図９−１】
0006339686.tif 000015
【図９−２】
0006339686.tif 000016
【図１０】
0006339686.tif 000017